(57)【要約】【課題】複数の選手が同時並行的に異なる位置においてパフォーマンスを行うスポーツ競技の観戦者が、直接は観られない位置の選手のパフォーマンスを見逃すことなく観ることができる。【解決手段】映像収集提供装置は、複数のカメラから無線送信されてくる動画等の映像の映像ストリームを収集し、観戦者端末に提供する。観戦者端末は、映像ストリームを観視するための表示画面を備える。映像収集提供装置は、収集した映像ストリームの映像情報に基づいて、観戦者による観視を推奨する推奨場面の予告を観戦者端末に通知すると共に、収集した映像ストリームの内の、予告通知する推奨場面を含む映像ストリームを観戦者端末に提供する。予告通知には、選手名が含まれる。観戦者端末は、映像収集提供装置からの予告通知を受信すると、観戦者に推奨場面の予告通知を、選手名と共に報知する。【選択図】図１２
2019195227.tif 000002
【特許請求の範囲】
【請求項１】
複数の選手が同時並行的に異なる位置において競技のパフォーマンスを行うスポーツ競技の観戦者が所持する観戦者端末と、
前記競技に参加している前記選手を含んで撮影した映像の映像ストリームを送信する複数のカメラと、
前記複数のカメラから送信されてくる前記映像ストリームを収集して前記観戦者端末に提供するようにするための映像収集提供装置と、
を備えるスポーツ競技ライブ観戦システムであって、
前記映像収集提供装置は、
前記収集した前記複数のカメラからの前記映像ストリームのそれぞれの映像情報に含まれている前記選手を認識すると共に、前記映像情報に基づいて、前記観戦者による観視を推奨する前記認識した前記選手による前記競技のパフォーマンスの推奨場面を予測検出し、前記予測検出した前記推奨場面の開始に先立ち、前記認識した前記選手の選手名の情報を含む前記推奨場面の存在の予告通知を前記観戦者端末に送信し、前記収集した前記映像ストリームの内の、少なくとも前記予告通知した前記推奨場面を含む映像ストリームを前記観戦者端末に提供し、
前記観戦者端末は、
前記映像収集提供装置からの前記予告通知を受信したときに、前記観戦者に前記推奨場面の存在の前記予告通知を報知すると共に、前記予告通知に含まれる前記選手名の情報に基づいて前記推奨場面において前記競技のパフォーマンスを行う選手名を報知する報知手段と、
前記映像収集提供装置から送られてくる前記推奨場面を含む映像ストリームを取得して、表示画面に表示する映像ストリーム取得表示手段と、
を備えることを特徴とするスポーツ競技ライブ観戦システム。
【請求項２】
前記映像収集提供装置は、前記収集した前記複数のカメラからの前記映像ストリームの映像情報について画像認識を行って、少なくとも、前記競技のパフォーマンスを行っている前記選手を認識し、前記認識した選手の選手名の情報を含めた前記予告通知を送信する
ことを特徴とする請求項１に記載のスポーツ競技ライブ観戦システム。
【請求項３】
前記画像認識は、選手の顔画像の認識を含む
ことを特徴とする請求項２に記載のスポーツ競技ライブ観戦システム。
【請求項４】
前記画像認識は、選手の歩容認識を含む
ことを特徴とする請求項２又は請求項３に記載のスポーツ競技ライブ観戦システム。
【請求項５】
前記画像認識は、選手の姿勢や動きの特徴の認識を含む
ことを特徴とする請求項２〜請求項４のいずれかに記載のスポーツ競技ライブ観戦システム。
【請求項６】
前記画像認識は、選手が着用している帽子、服装の認識を含む
ことを特徴とする請求項２〜請求項５のいずれかに記載のスポーツ競技ライブ観戦システム。
【請求項７】
前記画像認識は、選手の身長、体形の認識を含む
ことを特徴とする請求項２〜請求項６のいずれかに記載のスポーツ競技ライブ観戦システム。
【請求項８】
前記スポーツ競技はゴルフ競技であって、
前記画像認識は、前記選手に帯同するキャディーが着用するゼッケンに記載されている選手名の文字認識を含む
ことを特徴とする請求項２〜請求項７のいずれかに記載のスポーツ競技ライブ観戦システム。
【請求項９】
前記映像収集提供装置は、前記収集した前記複数のカメラからの前記映像ストリームのそれぞれの映像情報について画像認識により前記選手の挙動や状況を自動認識して、前記推奨場面の前記予測検出を行う
ことを特徴とする請求項１〜請求項８のいずれかに記載のスポーツ競技ライブ観戦システム。
【請求項１０】
前記スポーツ競技はゴルフ競技であって、
前記映像収集提供装置は、前記収集した前記複数のカメラからの前記映像ストリームのそれぞれの映像情報について、
選手がティーグランドに登場したこと、
フェアウエイまたはラフを歩いていた選手が所定時間以上止まったこと、
選手がパッティンググリーン上に登場したこと、
選手がバンカー内に入ろうとしていること、
キャディーが担いでいたゴルフバックを選手の傍で置いたこと、
キャディーが選手にゴルフクラブを渡したこと、
のうちの少なくともいずれか一つを含む選手やキャディーの挙動や状況を、画像認識により自動認識して、前記推奨場面の前記予測検出を行う
ことを特徴とする請求項１〜請求項９のいずれかに記載のスポーツ競技ライブ観戦システム。
【請求項１１】
前記スポーツ競技はゴルフ競技であって、
前記映像収集提供装置は、前記収集した前記複数のカメラからの前記映像ストリームのそれぞれの映像情報について画像認識により前記選手がゴルフクラブを握って、ゴルフボールに対峙してアドレスしたことを自動認識して、前記推奨場面の前記予測検出を行う
ことを特徴とする請求項１〜請求項１０のいずれかに記載のスポーツ競技ライブ観戦システム。
【請求項１２】
前記選手が前記競技のパフォーマンスを実行するエリアに入ったことを検知するためのセンサを、前記エリアの周囲に設け、
前記映像収集提供装置は、前記センサからの検出出力に基づいて、前記推奨場面の前記予測検出を行う
ことを特徴とする請求項１〜請求項１１のいずれかに記載のスポーツ競技ライブ観戦システム。
【請求項１３】
前記複数のカメラは、前記選手毎に設けられていると共に、前記撮影した映像の映像ストリームを自身の識別情報を付加して前記映像収集提供装置に送信するものであり、
前記映像収集提供装置は、前記カメラから受信した前記映像ストリームに付加されている前記識別情報から前記選手を認識する
ことを特徴とする請求項１〜請求項１２のいずれかに記載のスポーツ競技ライブ観戦システム。
【請求項１４】
前記観戦者端末の前記映像ストリーム取得表示手段は、前記報知手段における報知を受けた前記観戦者による操作に基づいて、前記映像収集提供装置から送られてくる前記推奨場面を含む映像ストリームを取得して、前記表示画面に表示する
ことを特徴とする請求項１〜請求項１３のいずれかに記載のスポーツ競技ライブ観戦システム。
【請求項１５】
前記観戦者端末の前記映像ストリーム取得表示手段は、前記映像収集提供装置からの前記予告通知を受信したときに、前記映像収集提供装置から送られてくる前記推奨場面を含む映像ストリームを取得して、前記表示画面に表示する
ことを特徴とする請求項１〜請求項１３のいずれかに記載のスポーツ競技ライブ観戦システム。
【請求項１６】
前記観戦者端末は、
予め、前記映像収集提供装置から、前記競技に参加する複数の選手名のリストを取得する手段と、
前記リストの中から選択した前記推奨場面の予告通知を要求する選手名と、自端末の端末識別情報とを、前記映像収集提供装置に対して送って登録要求する登録要求手段と、
を備え、
前記映像収集提供装置は、前記登録要求に応じて、前記推奨場面の予告通知を要求する選手名と端末識別情報とを対応付けて登録すると共に、前記登録された選手名の推奨場面を予測検出したときに、対応して登録されている前記端末識別情報の前記観戦者端末を検出し、当該検出した前記観戦者端末に対して前記検出した前記予告通知を送信する
ことを特徴とする請求項１〜請求項１５のいずれかに記載のスポーツ競技ライブ観戦システム。
【請求項１７】
前記観戦者端末は、前記登録要求手段により登録要求した前記推奨場面の予告通知を要求する選手名を、前記スポーツ競技の進行に応じて抹消及び／又は変更登録する手段を備える
ことを特徴とする請求項１６に記載のスポーツ競技ライブ観戦システム。
【請求項１８】
前記観戦者端末は、前記競技に参加する複数の選手名のリストとして、注目選手及び／又は活躍している選手名のリストを取得する手段を備える
ことを特徴とする請求項１６又は請求項１７に記載のスポーツ競技ライブ観戦システム。
【請求項１９】
前記観戦者端末は、前記競技に参加する複数の選手名のリストとして、首位争いや上位争い、あるいは優勝争いをしている選手名のリストを取得する手段を備える
ことを特徴とする請求項１６〜請求項１８のいずれかに記載のスポーツ競技ライブ観戦システム。
【請求項２０】
前記登録要求手段は、登録要求する選手名が複数のときに、前記選手名に前記予告通知についての優先順位を付与して前記映像収集提供装置に登録要求する
ことを特徴とする請求項１６〜請求項１９のいずれかに記載のスポーツ競技ライブ観戦システム。
【請求項２１】
前記映像収集提供装置は、前記スポーツ競技において複数の選手によるプレーオフとなった場合には、前記プレーオフを戦う選手についての前記推奨場面の前記予告通知を行う
ことを特徴とする請求項１〜請求項２０のいずれかに記載のスポーツ競技ライブ観戦システム。
【請求項２２】
前記映像収集提供装置は、前記スポーツ競技において優勝決定後は、優勝者のインタビュー及び／又は表彰式の場面を前記推奨場面として前記予告通知を行う
ことを特徴とする請求項１〜請求項２１のいずれかに記載のスポーツ競技ライブ観戦システム。
【請求項２３】
前記複数のカメラは、撮影位置を特定するための情報と対応させて前記撮影した映像の映像ストリームを送信し、
前記映像収集提供装置は、前記予測検出した前記推奨場面を含む映像ストリームを送信した前記カメラからの前記撮影位置を特定するための情報に対応する撮影位置名称を取得し、前記推奨場面を含む映像ストリームには、前記撮影位置を特定するための情報を付加して前記観戦者端末に送信し、
前記観戦者端末の前記映像ストリーム取得表示手段は、受信した前記映像ストリームから、前記撮影位置を特定するための情報を抽出して、前記表示画面に、前記映像ストリームによる画像と共に、前記撮影位置を表示する
ことを特徴とする請求項１〜請求項２２のいずれかに記載のスポーツ競技ライブ観戦システム。
【請求項２４】
前記撮影位置を特定するための情報は、撮影位置名称であり、
前記観戦者端末の前記映像ストリーム取得表示手段は、受信した前記映像ストリームから、前記撮影位置を特定するための情報を抽出して、前記表示画面に、前記映像ストリームによる画像と共に、前記撮影位置名称を表示する
ことを特徴とする請求項２３に記載のスポーツ競技ライブ観戦システム。
【請求項２５】
前記撮影位置を特定するための情報は、撮影位置の識別情報であり、
前記観戦者端末は、前記撮影位置の識別情報に対応する前記撮影位置名称を記憶する記憶部を備え、前記映像ストリーム取得表示手段は、受信した前記映像ストリームから前記撮影位置を特定するための情報としての前記撮影位置の識別情報を抽出し、前記抽出した前記撮影位置の識別情報に対応する前記撮影位置名称を前記記憶部から読み出す
ことを特徴とする請求項２４に記載のスポーツ競技ライブ観戦システム。
【請求項２６】
前記映像収集提供装置は、前記推奨場面を含む映像ストリームを、前記推奨場面において前記競技のパフォーマンスを行う選手を特定するための情報を付加して送信し、
前記観戦者端末の前記映像ストリーム取得表示手段は、受信した前記映像ストリームから、前記選手を特定するための情報を抽出して、前記表示画面に、前記映像ストリームによる画像と共に、前記推奨場面において前記競技のパフォーマンスを行う選手を表示する
ことを特徴とする請求項１〜請求項２５のいずれかに記載のスポーツ競技ライブ観戦システム。
【請求項２７】
前記選手を特定するための情報は、選手名の情報である
ことを特徴とする請求項２６に記載のスポーツ競技ライブ観戦システム。
【請求項２８】
前記選手を特定するための情報は、前記選手の識別情報であり、
前記観戦者端末は、前記選手の識別情報に対応する前記選手名の情報を記憶する記憶部を備え、前記映像ストリーム取得表示手段は、受信した前記映像ストリームから前記選手を特定するための情報としての前記選手の識別情報を抽出し、前記抽出した前記選手の識別情報に対応する前記選手名の情報を前記記憶部から読み出す
ことを特徴とする請求項２６に記載のスポーツ競技ライブ観戦システム。
【請求項２９】
前記映像収集提供装置は、前記予告通知に、前記推奨場面を含む映像ストリームを前記観戦者端末が取得するための情報を含めて送信し、
前記観戦者端末の前記映像ストリーム取得表示手段は、前記推奨場面を含む映像ストリームを取得するための情報を前記観戦者に提示して、前記観戦者による取得指示を受けたときに、前記取得するための情報を用いて前記推奨場面を含む映像ストリームを取得して前記表示画面に表示する
ことを特徴とする請求項１〜請求項２８のいずれかに記載のスポーツ競技ライブ観戦システム。
【請求項３０】
前記映像収集提供装置は、前記カメラから収集した映像ストリームを放送信号として送信するものであると共に、前記推奨場面を含む映像ストリームを取得するための情報として、前記放送信号から前記推奨場面を含む映像ストリームを選択抽出するための情報を含めて前記予告通知を行うものであり、
前記観戦者端末は、前記放送信号を受信する機能を有し、前記映像ストリーム取得表示手段は、前記予告通知から抽出した前記推奨場面を含む映像ストリームを選択抽出するための情報を用いて、前記放送信号から前記推奨場面を含む映像ストリームを選択抽出して表示する
ことを特徴とする請求項２９に記載のスポーツ競技ライブ観戦システム。
【請求項３１】
前記映像収集提供装置は、前記選手毎の前記映像ストリームを異なるチャンネルとして放送する
ことを特徴とする請求項３０に記載のスポーツ競技ライブ観戦システム。
【請求項３２】
前記映像収集提供装置は、前記映像ストリームのそれぞれを、異なるＷｅｂページにより提供するものであり、
前記推奨場面を含む映像ストリームを取得するための情報は、前記推奨場面を含む映像ストリームを提供する前記ＷｅｂページのＵＲＬ（Uniform Resource Locator）である
ことを特徴とする請求項２９に記載のスポーツ競技ライブ観戦システム。
【請求項３３】
前記映像収集提供装置と前記観戦者端末とはＳＮＳ（Social Networking Service）を介して情報共有されており、
前記映像収集提供装置は、前記映像ストリームのそれぞれを、前記ＳＮＳにおける異なる投稿として提供するものであり、
前記推奨場面を含む映像ストリームを取得するための情報は、前記ＳＮＳにおける前記投稿のアカウントである
ことを特徴とする請求項２９に記載のスポーツ競技ライブ観戦システム。
【請求項３４】
前記映像収集提供装置は、前記推奨場面を含む映像ストリームを取得するための情報を伴った前記推奨場面の予告の通知を、電子メールあるいはインスタントメッセンジャーにより送信する
ことを特徴とする請求項２９〜請求項３３のいずれかに記載のスポーツ競技ライブ観戦システム。
【請求項３５】
前記映像収集提供装置は、前記予測検出した前記推奨場面の開始に先立つ時点から終了時点までの映像情報の期間に対応する推奨フラグを生成し、生成した前記推奨フラグに基づいて、前記推奨場面の存在の前記予告通知を前記観戦者端末に送信するものであると共に、前記推奨フラグは、前記推奨場面に応じた推奨度の大きさに応じた異なる値を有し、前記観戦者端末から通知された前記推奨フラグの値と、前記生成した前記推奨フラグの値とに基づいて、前記推奨フラグの値を通知してきた前記観戦者端末に対する前記推奨場面の予告通知の実行を制御するものであり、
前記観戦者端末は、前記観戦者により設定された前記推奨フラグの値を前記映像収集提供装置に通知する推奨フラグ値通知手段を備える
ことを特徴とする請求項１〜請求項３４のいずれかに記載のスポーツ競技ライブ観戦システム。
【請求項３６】
前記映像収集提供装置は、前記予測検出した前記推奨場面の開始に先立つ時点から終了時点までの映像情報の期間に対応する推奨フラグを生成し、生成した前記推奨フラグに基づいて、前記推奨場面の存在の前記予告通知を前記観戦者端末に送信するものであると共に、前記推奨フラグは異なる値を有し、前記推奨フラグの値に応じて前記予告通知の実行を制御するものであり、
前記観戦者のそれぞれには前記推奨フラグの値が割り付けられて、前記観戦者は、前記推奨フラグの値に応じて複数のグループに分けられている
ことを特徴とする請求項１〜請求項３４のいずれかに記載のスポーツ競技ライブ観戦システム。
【請求項３７】
前記映像収集提供装置は、前記予測検出した前記推奨場面の開始に先立つ時点から終了時点までの映像情報の期間に対応する推奨フラグを生成し、生成した前記推奨フラグに基づいて、前記推奨場面の存在の前記予告通知を前記観戦者端末に送信するものであると共に、前記推奨フラグは異なる値を有し、前記推奨フラグの値に応じて前記予告通知の実行を制御するものであり、
前記観戦者のそれぞれには前記推奨フラグの値が割り付けられて、前記観戦者は、前記推奨フラグの値に応じ会員種別に区分されている
ことを特徴とする請求項１〜請求項３４のいずれかに記載のスポーツ競技ライブ観戦システム。
【請求項３８】
前記区分された会員種別に応じて、前記予告通知を要求する対象として登録できる選手の数、撮影位置の数、及び／または前記映像ストリームの画質を変えられる
ことを特徴とする請求項３７に記載のスポーツ競技ライブ観戦システム。
【請求項３９】
前記映像収集提供装置は、前記予測検出した前記推奨場面の開始に先立つ時点から終了時点までの映像情報の期間に対応する推奨フラグを生成し、生成した前記推奨フラグに基づいて、前記推奨場面の存在の前記予告通知を前記観戦者端末に送信するものであると共に、前記推奨フラグは異なる値を有し、前記推奨フラグの値に応じて前記予告通知の実行を制御するものであり、
前記観戦者端末のそれぞれには前記推奨フラグの値が割り付けられて、前記観戦者端末は利用料金種別により区分されている
ことを特徴とする請求項１〜請求項３４のいずれかに記載のスポーツ競技ライブ観戦システム。
【請求項４０】
前記区分された利用料金種別に応じて、前記予告通知を要求する対象として登録できる選手の数及び／または前記映像ストリームの画質を変えられる
ことを特徴とする請求項３９に記載のスポーツ競技ライブ観戦システム。
【請求項４１】
前記観戦者端末の前記映像ストリーム取得表示手段は、前記表示画面に、前記推奨場面を含む映像ストリームを取得するための情報に関する文字の大きさ及び／または色を変更して表示する
ことを特徴とする請求項１〜請求項４０のいずれかに記載のスポーツ競技ライブ観戦システム。
【請求項４２】
複数の選手が同時並行的に異なる位置において競技のパフォーマンスを行うスポーツ競技の観戦者が所持する観戦者端末と、
前記競技に参加している前記選手を含んで撮影した映像の映像ストリームを送信する複数のカメラと、
前記複数のカメラから送信されてくる前記映像ストリームを収集して前記観戦者端末に提供するようにするための映像収集提供装置と、
を備えるスポーツ競技ライブ観戦システムの前記映像収集提供装置であって、
前記収集した前記複数のカメラからの前記映像ストリームのそれぞれの映像情報に含まれている前記選手を認識すると共に、前記映像情報に基づいて、前記観戦者による観視を推奨する前記認識した前記選手による前記競技のパフォーマンスの推奨場面を予測検出し、前記予測検出した前記推奨場面の開始に先立ち、前記認識した前記選手の選手名の情報を含む前記推奨場面の存在の予告通知を前記観戦者端末に送信し、前記収集した前記映像ストリームの内の、少なくとも前記予告通知した前記推奨場面を含む映像ストリームを前記観戦者端末に提供する
ことを特徴とするスポーツ競技ライブ観戦システムの映像収集提供装置。
【請求項４３】
複数の選手が同時並行的に異なる位置において競技のパフォーマンスを行うスポーツ競技の観戦者が所持する観戦者端末と、
前記競技に参加している前記選手を含んで撮影した映像の映像ストリームを送信する複数のカメラと、
前記複数のカメラから送信されてくる前記映像ストリームを収集し、前記収集した前記複数のカメラからの前記映像ストリームのそれぞれの映像情報に含まれている前記選手を認識すると共に、前記映像情報に基づいて、前記観戦者による観視を推奨する前記認識した前記選手による前記競技のパフォーマンスの推奨場面を予測検出し、前記予測検出した前記推奨場面の開始に先立ち、前記認識した前記選手の選手名の情報を含む前記推奨場面の存在の予告通知を前記観戦者端末に送信し、前記収集した前記映像ストリームの内の、少なくとも前記予告通知した前記推奨場面を含む映像ストリームを前記観戦者端末に提供するようにするための映像収集提供装置と、
を備えるスポーツ競技ライブ観戦システムの前記観戦者端末であって、
前記映像収集提供装置からの前記予告通知を受信したときに、前記観戦者に前記推奨場面の存在の前記予告通知を報知すると共に、前記予告通知に含まれる前記選手名の情報に基づいて前記推奨場面において前記競技のパフォーマンスを行う選手名を報知する報知手段と、
前記映像収集提供装置から送られてくる前記推奨場面を含む映像ストリームを取得して、表示画面に表示する映像ストリーム取得表示手段と、
を備えることを特徴とするスポーツ競技ライブ観戦システムの観戦者端末。
【請求項４４】
複数の選手が同時並行的に異なる位置において競技のパフォーマンスを行うスポーツ競技の観戦者が所持する観戦者端末と、
前記競技に参加している前記選手を含んで撮影した映像の映像ストリームを送信する複数のカメラと、
前記複数のカメラから送信されてくる前記映像ストリームを収集し、前記収集した前記複数のカメラからの前記映像ストリームのそれぞれの映像情報に含まれている前記選手を認識すると共に、前記映像情報に基づいて、前記観戦者による観視を推奨する前記認識した前記選手による前記競技のパフォーマンスの推奨場面を予測検出し、前記予測検出した前記推奨場面の開始に先立ち、前記認識した前記選手の選手名の情報を含む前記推奨場面の存在の予告通知を前記観戦者端末に送信し、前記収集した前記映像ストリームの内の、少なくとも前記予告通知した前記推奨場面を含む映像ストリームを前記観戦者端末に提供するようにするための映像収集提供装置と、
を備えるスポーツ競技ライブ観戦システムの前記観戦者端末が備えるコンピュータが、
前記映像収集提供装置からの前記予告通知を受信したときに、前記観戦者に前記推奨場面の存在の前記予告通知を報知すると共に、前記予告通知に含まれる前記選手名の情報に基づいて前記推奨場面において前記競技のパフォーマンスを行う選手名を報知する報知手段、
前記映像収集提供装置から送られてくる前記推奨場面を含む映像ストリームを取得して、表示画面に表示する映像ストリーム取得表示手段、
として処理を実行するための観戦者端末用プログラム。
【請求項４５】
複数の選手が同時並行的に異なる位置において競技のパフォーマンスを行うスポーツ競技の観戦者が所持する観戦者端末と、
前記競技に参加している前記選手を含んで撮影した映像の映像ストリームを送信する複数のカメラと、
前記複数のカメラから送信されてくる前記映像ストリームを収集して前記観戦者端末に提供するようにするための映像収集提供装置と、
を備えるスポーツ競技ライブ観戦システムの前記映像収集提供装置が備えるコンピュータが、
前記収集した前記複数のカメラからの前記映像ストリームのそれぞれの映像情報に含まれている前記選手を認識すると共に、前記映像情報に基づいて、前記観戦者による観視を推奨する前記認識した前記選手による前記競技のパフォーマンスの推奨場面を予測検出し、前記予測検出した前記推奨場面の開始に先立ち、前記認識した前記選手の選手名の情報を含む前記推奨場面の存在の予告通知を前記観戦者端末に送信し、前記収集した前記映像ストリームの内の、少なくとも前記予告通知した前記推奨場面を含む映像ストリームを前記観戦者端末に提供する処理を実行するための映像収集提供装置用プログラム。
【発明の詳細な説明】
【技術分野】
【０００１】
この発明は、例えばゴルフ競技、体操競技、オリンピック競技などのスポーツ競技をライブで観戦する観戦者が用いて好適なスポーツ競技ライブ観戦システム、スポーツ競技ライブ観戦システムの映像収集提供装置及び観戦者端末並びに観戦者端末用プログラム及び映像収集提供装置用プログラムに関する。
【背景技術】
【０００２】
ゴルフ競技や体操競技などのスポーツ競技をライブ観戦する場合に、観戦者は、異なった位置にいる複数の選手のプレーや演技等のパフォーマンスを同時的に観ることは困難である。体操競技やオリンピック競技などのように複数の種目の競技が、同一競技場内で同時的に行われる場合にも、その複数の種目について選手のパフォーマンスを同時に観ることは難しい。
【０００３】
スポーツ競技ライブ観戦システムの一例として、例えば特許文献１（特開２００３−１８５８３号公報参照）には、複数台のテレビカメラを、例えば競技場に配置し、その複数台のテレビカメラで撮影したストリームデータを合成して、一つの合成ストリームデータを生成し、その合成ストリームデータを視聴者端末に配信することが開示されている。したがって、視聴者は、視聴者端末において、合成ストリームデータの中からの一つを選択して、視聴者端末で見ることで、居ながらにして、自分自身が移動して他の位置の選手のパフォーマンスを観戦しているようなライブ映像を見ることができる。
【先行技術文献】
【特許文献】
【０００４】
【特許文献１】特開２００３−１８５８３号公報
【発明の概要】
【発明が解決しようとする課題】
【０００５】
しかしながら、上述のようなスポーツ競技においては、常に選手がパフォーマンスを行っているのではなく、次のパフォーマンスを行うために移動していたり、準備をしていたりする時間もある。そのため、複数台のテレビカメラで撮影したストリームデータの中から所定のテレビカメラで撮影したストリームデータを選択的に受信して、視聴者端末に表示しても、選手がパフォーマンスをする場面ではない場合が多々生じる。他方、その選択の間に、他のテレビカメラで、選手がパフォーマンスを実行しているなどということも生じる。
【０００６】
このため、観戦者自身が観たいと欲していた選手のパフォーマンスや、観戦者自身が観たいと欲していた種目のパフォーマンスを、観戦者は見逃してしまう恐れがある。
【０００７】
この発明は、以上の点に鑑み、複数の選手が同時的に異なる位置において競技のパフォーマンスを行うスポーツ競技の観戦者が、所望する選手や種目のパフォーマンスを、見逃すことなく観ることができるようにしたスポーツ競技ライブ観戦システムの観戦者端末を提供することを目的とする。
【課題を解決するための手段】
【０００８】
上記の課題を解決するために、請求項１の発明は、
複数の選手が同時並行的に異なる位置において競技のパフォーマンスを行うスポーツ競技の観戦者が所持する観戦者端末と、
前記競技に参加している前記選手を含んで撮影した映像の映像ストリームを送信する複数のカメラと、
前記複数のカメラから送信されてくる前記映像ストリームを収集して前記観戦者端末に提供するようにするための映像収集提供装置と、
を備えるスポーツ競技ライブ観戦システムであって、
前記映像収集提供装置は、
前記収集した前記複数のカメラからの前記映像ストリームのそれぞれの映像情報に含まれている前記選手を認識すると共に、前記映像情報に基づいて、前記観戦者による観視を推奨する前記認識した前記選手による前記競技のパフォーマンスの推奨場面を予測検出し、前記予測検出した前記推奨場面の開始に先立ち、前記認識した前記選手の選手名の情報を含む前記推奨場面の存在の予告通知を前記観戦者端末に送信し、前記収集した前記映像ストリームの内の、少なくとも前記予告通知した前記推奨場面を含む映像ストリームを前記観戦者端末に提供し、
前記観戦者端末は、
前記映像収集提供装置からの前記予告通知を受信したときに、前記観戦者に前記推奨場面の存在の前記予告通知を報知すると共に、前記予告通知に含まれる前記選手名の情報に基づいて前記推奨場面において前記競技のパフォーマンスを行う選手名を報知する報知手段と、
前記映像収集提供装置から送られてくる前記推奨場面を含む映像ストリームを取得して、表示画面に表示する映像ストリーム取得表示手段と、
を備えることを特徴とするスポーツ競技ライブ観戦システムを提供する。
【０００９】
上述の構成の請求項１の発明においては、映像収集提供装置においては、収集した複数のカメラからの映像ストリームの映像情報に基づいて、観戦者による観視を推奨する推奨場面を予測検出する。そして、映像収集提供装置は、その予測検出した推奨場面において競技のパフォーマンスを行う選手を認識し、その認識した選手の選手名を取得する。そして、予測検出した推奨場面の開始に先立ち、取得した選手名を含む推奨場面の存在の予告通知を観戦者端末に通知する。
【００１０】
観戦者端末は、この映像収集提供装置からの通知を受け取ると、報知手段により、当該推奨場面の予告通知を受信したことを、観戦者に報知する。そして、更に、観戦者端末は、予告通知に含まれる選手名を、観戦者に報知する。
【００１１】
また、映像収集提供装置の映像提供手段から送られてくる推奨場面を含む映像ストリームを取得して、表示画面に表示する。
【００１２】
したがって、観戦者は、観戦者端末の報知手段による報知により、選手がパフォーマンスを開始する場面が近づいた映像ストリームの存在を検知することができ、しかも、どの選手のパフォーマンスの映像ストリームであるかを認識することが可能である。よって、観戦者端末の表示画面に表示される映像ストリームにより、いずれの選手のパフォーマンスの推奨場面であるかを認識しながら、当該推奨場面を観視することができる。これにより、観戦者は、自分が現在いるところでは直接は観ることはできないが、自分が観たいと欲していた選手のパフォーマンスを見逃すことなく観ることができる。
【発明の効果】
【００１３】
この発明によれば、複数の選手が同時的に異なる位置において競技のパフォーマンスを行うスポーツ競技の観戦者が、自分が現在いるところでは直接は観られない選手のパフォーマンスを、見逃すことなく観ることができる。
【図面の簡単な説明】
【００１４】
【図１】この発明による観戦者端末の実施形態を備えるスポーツ競技ライブ観戦システムの実施形態の概要を説明するための図である。
【図２】この発明による観戦者端末の実施形態を備えるスポーツ競技ライブ観戦システムの実施形態を構成するカメラの構成例を示すブロック図である。
【図３】この発明による観戦者端末の実施形態を備えるスポーツ競技ライブ観戦システムの実施形態を構成する映像収集提供装置の構成例を示すブロック図である。
【図４】この発明による観戦者端末の実施形態を備えるスポーツ競技ライブ観戦システムの実施形態を構成する映像収集提供装置の構成例を説明するために用いる図である。
【図５】この発明による観戦者端末の実施形態を備えるスポーツ競技ライブ観戦システムの実施形態を構成する映像収集提供装置の構成例を説明するために用いる図である。
【図６】この発明によるスポーツ競技ライブ観戦システムの観戦者端末の実施形態の構成例を示すブロック図である。
【図７】この発明によるスポーツ競技ライブ観戦システムの観戦者端末の実施形態における登録処理動作の流れの例を説明するフローチャートを示す図である。
【図８】この発明によるスポーツ競技ライブ観戦システムの観戦者端末の実施形態における登録処理動作の例を説明するために用いる図である。
【図９】この発明による観戦者端末の実施形態を備えるスポーツ競技ライブ観戦システムの実施形態を構成する映像収集提供装置における登録処理動作の流れの例を説明するフローチャートを示す図である。
【図１０】この発明による観戦者端末の実施形態を備えるスポーツ競技ライブ観戦システムの実施形態を構成する映像収集提供装置における推奨場面の予告通知処理動作の流れの例を説明するフローチャートを示す図である。
【図１１】この発明によるスポーツ競技ライブ観戦システムの観戦者端末の実施形態における推奨場面の予告通知処理動作の流れの例を説明するフローチャートを示す図である。
【図１２】この発明によるスポーツ競技ライブ観戦システムの観戦者端末の実施形態における推奨場面の予告通知処理動作の説明に用いる図である。
【図１３】この発明による観戦者端末の実施形態を備えるスポーツ競技ライブ観戦システムの他の実施形態を説明するための図である。
【図１４】この発明による観戦者端末の実施形態を備えるスポーツ競技ライブ観戦システムの他の実施形態を説明するための図である。
【図１５】この発明による観戦者端末の実施形態を備えるスポーツ競技ライブ観戦システムの他の実施形態を説明するための図である。
【発明を実施するための形態】
【００１５】
以下、この発明によるスポーツ競技ライブ観戦システムの観戦者端末の実施形態を、スポーツ競技ライブ観戦システムの実施形態と共に、図を参照しながら説明する。以下に説明するシステムは、ゴルフ競技を観戦するシステムの場合に、この発明を適用した例である。
【００１６】
図１は、この実施形態のスポーツ競技ライブ観戦システムの概要を説明するための図である。図１の中央に示されるのは、ゴルフ競技が開催されるゴルフ場のゴルフコースの例の全体を示すもので、この例では、１８ホールからなる。各ホールに付与されている数字は、ホール番号を示している。
【００１７】
観戦者としては、パフォーマンス（この例のゴルフ競技の場合にはゴルフプレー。以下プレーと記載する）を観てみたい選手に付いて、各ホールを回る人や、特定のホールに留まって、当該ホールにおける複数の選手のプレーを観る人もいる。前者の場合、観戦者は、観てみたい選手が複数人存在する場合に、従来は、当該複数の選手と同じ組で一緒にプレーする場合以外には、当該複数の選手のプレーを、ライブで観ることができなかった。また、後者の場合には、観戦者は、従来は、特定のホールでの選手のプレーしか観ることができず、他のホールにおける選手のプレーのライブ観戦は、諦めるしかなかった。
【００１８】
また、例えばプロゴルフ競技の場合、通常、図１に示すように、１８番ホール（最終ホール）のグリーンの周囲の適宜の位置には、観戦者用の観覧席ＳＴが設けられており、図１において、当該観覧席ＳＴの拡大図に示すように、観戦者が座って観戦できるようにされている。この観覧席ＳＴに着席する観戦者は、各ホールを選手に付いて回るのではなく、選手が当該最終ホールのグリーンに到着してプレーをするのを待つ。したがって、観覧席ＳＴに着席する観戦者は、従来は、最終ホールのプレーは楽しめるものの、当該最終ホールまでの他のホールにおける選手のプレーを観ることは諦めることが多かった。
【００１９】
また、ゴルフ競技の観戦者の多くは、全ての選手のプレーを観たいのではなく、自分が贔屓にしている選手やファンになっている選手、また目当ての選手のプレーを中心に観たいということが多い。ただし、観戦者は、選手が移動中の姿等を特に観たいという要求は低く、選手が行うティーショット、セカンドショット、アプローチショット、バンカーショット、パッティングなどのプレーを観ることができればよいことが多い。また、観戦者は、自分が現在居る位置以外の特定のホールのプレーは、贔屓やファンの選手、目当ての選手のみではなく、全ての選手あるいは多くの選手のプレーを観戦してみたいという場合もある。特定のホールは、例えば、選手の名前やプロフィールの紹介がある１番ホール（スタートホール）や、観戦するゴルフコースの名物ホールや難ホールなどである。
【００２０】
以下に説明する実施形態は、上記のような要求をも満足することができるように考慮している。すなわち、この実施形態では、上記のような、従来はできない、あるいは諦めるしかなかった選手のプレーを、的確に、ライブ観視することができるようにしている。
【００２１】
この実施形態のスポーツ競技ライブ観戦システムは、複数台のカメラ１０と、映像収集提供装置２０と、複数台の観戦者端末３０とからなる。
【００２２】
この実施形態では、カメラ１０は、１番ホールから１８番ホールの各ホールの適宜の位置において選手のプレーを動画として撮影するように、複数台が配置される。カメラ１０は、例えば、各ホールにおいて、ティーグランド、セカンドショット地点、グリーン近傍、の３か所に配置される。図１では、点線の○で示したように、４番ホールのグリーン近傍、８番ホールのグリーン近傍、１４番ホールのティーグランド、に配置されたカメラ１０のみを示し、その他のカメラ１０の図示は省略してある。なお、カメラ１０は固定的に設置されていてもよいし、撮影者が、カメラ１０を持って、配置位置近傍において移動しながら撮影するようにしても勿論よい。
【００２３】
なお、カメラ１０の配置箇所や台数は、これに限定されるものではなく、例えばバンカーの周辺にも配置してもよい。また、同じティーグランドに配置する場合でも、選手に対して正対する方向、打球線方向に沿った選手の後方など複数箇所に配置してもよい。選手に対して正対する方向からの撮影は、選手のスウィングがよく見えるため、選手のスウィングや表情を観たい場合に好適である。選手の後方からの撮影は、選手のスウィングはもちろん、球筋、落下点が見やすく、じっくり観ることができるという長所がある。
【００２４】
また、カメラ１０は同じ種類のものを配置してもよいし、異なる種類のものを配置してもよい。例えば、ティーグランドに配置されたカメラ１０は遠距離のショットを追うために、望遠性能のすぐれたカメラとし、グリーン近傍に配置されたカメラ１０はカップインの瞬間を捉えるために、ズーム機能の充実したカメラとすることができる。また、ティーグランドやグリーン周辺の観戦者を含めた雰囲気を味わえるように、ティーグランドやグリーン周辺を広く映せる広角レンズを備えたカメラを配置しても良い。
【００２５】
カメラ１０のそれぞれは、選手のプレーを動画として撮影し、その撮影した動画の映像ストリームを、映像収集提供装置２０に向けて無線送信する機能を有する。無線送信する映像ストリームには、カメラ１０の識別情報と、それぞれのカメラの撮影位置を特定するための情報（以下、撮影位置情報）が付加されている。
【００２６】
映像収集提供装置２０は、各ホールに配置されている複数のカメラ１０から送られてくる映像ストリームを収集し、観戦者端末３０に提供する。この実施形態では、映像収集提供装置２０は、映像ストリームの収集機能と映像ストリームの提供機能とを併せ持つ一つの装置としたが、収集機能部と、提供機能部とを分離した構成としても勿論よい。
【００２７】
映像収集提供装置２０は、この実施形態では、ゴルフ競技が開催されるゴルフ場内やその近傍に設置されている。しかし、映像収集提供装置２０は、ゴルフ場内やその近傍に設置されている必要はなく、カメラ１０からの映像ストリームを無線ネットワークを介して収集でき、かつ、観戦者端末３０に対して映像ストリームを無線ネットワークを介して提供することができる場所であれば、どこに置かれていてもよい。また、無線ネットワークに限らず、光ファイバー回線などの有線ネットワークであってもよい。
【００２８】
映像収集提供装置２０は、収集した映像ストリームを、その収集した映像ストリームのそれぞれに付加されている撮影位置情報及びカメラ識別情報と対応付けてバッファリングする。
【００２９】
また、この実施形態では、映像収集提供装置２０は、収集した映像ストリームのそれぞれについて、画像認識を行うことで、当該映像ストリームの当該時点において撮影されている選手を認識する。そして、映像収集提供装置２０は、その認識した選手を特定するための情報（選手特定情報）を、当該映像ストリームの当該選手の認識区間に対応付けてバッファリングするようにする。
【００３０】
また、映像収集提供装置２０は、収集した映像ストリームのそれぞれの画像内容に基づいて、観戦者による観視を推奨する推奨場面を予測して検出し、当該推奨場面を、観戦者端末３０を介して、その開始前に観戦者に予告通知するようにする。この実施形態では、予告通知は、電子メールにより行う。後述するように、この実施形態では、この予告通知には、推奨場面が含まれる映像ストリームを取得するための情報も含まれる。ここで、観戦者による観視を推奨する場面とは、この例のゴルフ競技の場合には、選手がティーショットを打つ、セカンドショットを打つ、パッティングをするなどのプレーを実行する場面である。
【００３１】
この実施形態では、映像収集提供装置２０は、この例では、カメラ１０の識別情報に対応付けたＷｅｂページを用意しており、カメラ１０のそれぞれ毎の映像ストリームを、対応するＷｅｂページを通じて観戦者端末３０に提供することができるようにしている。すなわち、観戦者端末３０から、カメラ１０のそれぞれ毎の映像ストリームを提供するＷｅｂページのＵＲＬ（Uniform Resource Locator）にアクセスすると、当該Ｗｅｂページから、当該Ｗｅｂページに対応付けられたカメラ１０の映像ストリームを、観戦者端末３０は取得して表示することができる構成とされている。
【００３２】
なお、後述するように、Ｗｅｂページから取得される映像ストリームには、対応付けられた撮影位置情報に基づくプレー場所の情報や、選手特定情報に基づく選手名の情報などが付加されているので、観戦者端末３０の表示画面には、表示されている映像ストリームの撮影位置（プレー場所）や、選手名をも併せて表示されて提供される。
【００３３】
なお、カメラ１０の識別情報に対応付けたＷｅｂページを用意するのではなく、カメラ１０による撮影位置（プレー場所）に対応付けたＷｅｂページを用意して、プレー場所毎に、映像ストリームを提供することができるようにしてもよい。また、選手のそれぞれに対応付けたＷｅｂページを用意して、選手毎に、映像ストリームを提供することができるようにしてもよい。
【００３４】
観戦者端末３０は、この実施形態では、当該ゴルフ競技の観戦チケットを有する観戦者に、有償で、あるいは無償で貸与される専用端末とされる。この実施形態の専用端末は、表示画面を有する表示部を備えると共に、電子メールの受信機能、インターネットを通じてＷｅｂページにアクセスすることができる機能及びブラウザ機能を有する端末とされるもので、タブレット型端末でもよいし、折り畳めるタイプの端末でもよい。なお、観戦者端末３０の機能を実現するアプリケーションソフトウエアプログラムを、事前に、インターネットなどを通じて、有償または無償で、当該ゴルフ競技の観戦チケットを有する観戦者のスマートフォンやタブレットなどの携帯端末にダウンロードすることで、観戦者自身が所有するスマートフォンやタブレットなどの携帯端末を観戦者端末３０とすることもできる。観戦者端末３０は、ノートブック型端末、ヘッドマウント型端末、眼鏡型端末、時計型端末などの構成のものであってもよい。
【００３５】
なお、以下の説明においては、観戦者端末３０を所持する観戦者と、所持しない一般の観戦者とを区別する必要があるときには、観戦者端末３０を所持する観戦者は利用観戦者と称することとする。
【００３６】
観戦者端末３０は、映像収集提供装置２０から送られてくる推奨画面の予告通知の電子メールを受信したときには、この例では、バイブレーション機能などを用いたいわゆるマナーモードにより、電子メールの着信を、観戦者端末３０の利用観戦者に報知する。マナーモードで電子メールの着信通知をするのは、着信音を発することで、選手のプレーを妨害しないようにするためである。この例では、電子メールの着信の報知は、バイブレーション機能による報知としたが、これに代えて、あるいはこれに加えて、ランプやＬＥＤの点滅による報知、などを行ってもよい。
【００３７】
そして、この実施形態では、観戦者端末３０では、電子メールを受信するとメーラー（電子メールアプリケーション）が即座に起動されて、表示画面に受信した電子メールのメッセージ内容が表示される。利用観戦者によるメーラーの起動を待つようにしてもよいが、利用観戦者に推奨画面の予告通知を確実に伝達することができるようにするために、この実施形態では、メーラーを、電子メールの着信に応じて自動的に起動するようにしている。
【００３８】
表示画面に表示される推奨場面の予告通知のメールのメッセージには、この例では、推奨場面について、カメラ１０の撮影位置と、プレーを行う選手名とが含まれると共に、当該推奨場面を含む映像ストリームを提供するＷｅｂページのＵＲＬが、推奨場面が含まれる映像ストリームを取得するための情報として含まれている。この予告通知のメールのメッセージに応じて、利用観戦者がメッセージ中のＵＲＬにタッチする操作をすると、観戦者端末３０は、当該ＵＲＬのＷｅｂページへアクセスし、これにより、推奨場面が含まれる映像ストリームを取得して、観戦者端末３０の表示画面にその映像を表示する。
【００３９】
こうして、利用観戦者は、推奨場面の予告通知のメールに応じた操作をすることで、推奨場面を見逃すことなく、観戦者端末３０で観視することができる。
【００４０】
ところで、前述したように、ゴルフ競技の観戦者の多くは、全ての選手のプレーを観たいのではなく、自分が贔屓にしている選手やファンになっている選手、また目当ての選手のプレーを中心に観たいということが多い。また、観戦者は、自分が現在居る位置以外の特定のホールのプレーは、贔屓やファンの選手、目当ての選手のみではなく、全ての選手あるいは多くの選手のプレーを観戦してみたいという場合もある。
【００４１】
このことに鑑み、この実施形態では、観戦者端末３０においては、利用観戦者による推奨場面の予告通知を受けたい選手名の入力及び推奨場面の予告通知を受けたいホールなどの撮影位置の入力を受け付けて、映像収集提供装置２０に登録要求する機能を設けている。そして、映像収集提供装置２０は、観戦者端末３０からの選手名の登録要求や撮影位置の登録要求を受け付けて、その利用観戦者により登録された選手のプレーに限定された推奨場面の開始予告の通知をするようにすると共に、登録された撮影位置については全ての選手のプレーについての推奨場面の開始予告の通知をするように構成されている。もちろん、全ての選手のプレーではなく、成績上位の選手など、一部の選手のプレーに限定してもよい。
【００４２】
次に、カメラ１０、映像収集提供装置２０及び観戦者端末３０の、より詳細な構成例について説明する。
【００４３】
［カメラ１０の構成例］
図２は、この実施形態におけるカメラ１０の構成例を示すブロック図である。すなわち、カメラ１０は、図２に示すように、制御部１０１に対して、システムバス１００を通じて、撮影部１０２、送信信号生成部１０３、送信部１０４、撮影位置情報発生部１０５、操作部１０６、のそれぞれが接続されて構成されている。
【００４４】
制御部１０１は、マイクロコンピュータ（図示せず）を備えて構成されており、カメラ１０の全体の動作を、内蔵するメモリに記憶されているプログラムにより制御する。
【００４５】
撮影部１０２は、選手のプレーを動画として撮影するもので、望遠機能やズーム機能、広角機能等を備える。操作部１０６は、撮影者の操作入力に応じて、撮影部１０２による動画の撮影の開始や終了の操作指示、望遠指示やズーム指示、広角指示等を行う。制御部１０１は、この操作部１０６での撮影者の操作指示に応じて撮影部１０２を制御する。なお、各種操作指示は、撮影者ではなく、カメラが選手、キャディーやゴルフボールなどを認識して、全自動でなされるようにすることも可能である。撮影部１０２で撮影された動画の情報は送信信号生成部１０３に供給される。
【００４６】
撮影位置情報発生部１０５は、この例では、例えばＧＰＳ（Global  Positioning  System）測位手段を用いて現在位置を検出し、検出した現在位置情報を、送信信号生成部１０３に供給する。
【００４７】
送信信号生成部１０３は、撮影部１０２からの動画の映像ストリームに、撮影位置情報発生部１０５からの現在位置情報と、カメラ１０の自機のカメラ識別情報を付加した送信情報を生成する。カメラ識別情報は、この例では、制御部１０１が内蔵するメモリ（図示は省略）に記憶されており、制御部１０１から送信部１０４に供給される。送信信号生成部１０３は、生成した送信情報を送信部１０４に供給する。
【００４８】
送信部１０４は、この例では、Ｗｉ−Ｆｉ（登録商標）を用いる無線ＬＡＮの無線通信器の構成であり、宛先を映像収集提供装置２０にして、送信情報を、無線送信する。なお、カメラ１０から映像収集提供装置２０への無線送信は、この例のような無線ＬＡＮの構成とする場合に限られるものではなく、カメラ１０から送信情報を映像収集提供装置２０へ無線送信することができるものであれば、どのような無線通信方式を採用してもよい。もちろん、カメラ１０から送信情報を映像収集提供装置２０へ、無線送信のみならず、光ファイバーなどを用いて有線送信することもできる。
【００４９】
なお、送信信号生成部１０３及び送信部１０４は、専用装置部の構成として、撮影部１０２、撮影位置情報発生部１０５及び操作部１０６を備えるカメラ本体部と有線または無線で接続される構成であってもよい。
【００５０】
また、送信信号生成部１０３は、制御部１０１がそのソフトウエア機能として実行する機能手段の構成としてもよい。
【００５１】
［映像収集提供装置２０の構成例］
図３は、映像収集提供装置２０の構成例を示すブロック図である。すなわち、この例では、映像収集提供装置２０は、制御部２０１に対して、システムバス２００を通じて、受信収集部２０２、受信映像バッファメモリ２０３、撮影位置判別部２０４、選手認識部２０５、推奨場面判定部２０６、推奨場面予告通知部２０７、カメラ映像提供部２０８、ネットワークインターフェース２０９、設定登録メニュー情報記憶部２１０、対応テーブル情報記憶部２１１、登録情報記憶部２１２、のそれぞれが接続されて構成されている。選手認識部２０５には、選手顔画像記憶部２１３が接続されている。
【００５２】
制御部２０１は、マイクロコンピュータ（図示せず）を備えて構成されており、映像収集提供装置２０の全体の動作を、内蔵するメモリに記憶されているプログラムにより制御する。
【００５３】
受信収集部２０２は、この例では、Ｗｉ−Ｆｉ（登録商標）を用いる無線ＬＡＮの無線通信器の構成であり、複数台のカメラ１０のそれぞれからの映像ストリームと、それに付加されている現在位置情報及びカメラ識別情報（以下、カメラＩＤという）とを受信し、カメラＩＤにより区分けされた受信映像バッファメモリ２０３に一時記憶する。
【００５４】
受信映像バッファメモリ２０３は、撮影位置判別部２０４や選手認識部２０５や推奨場面判定部２０６での処理時間を考慮した容量以上のメモリで構成されている。そして、受信映像バッファメモリ２０３は、収集した各映像ストリームと、それに付加されている現在位置情報及びカメラＩＤとを対応付けて、各映像ストリーム毎に記憶する。
【００５５】
撮影位置判別部２０４は、受信映像バッファメモリ２０３に一時記憶された映像ストリームに付加されている現在位置情報から、映像ストリームが何番ホールのどの位置であるかを判別する。この判別のため、撮影位置判別部２０４には、図示は省略するが、各ホールのティーグランド、セカンドショット、グリーンなどの撮影位置と、そのそれぞれに対応する位置情報範囲との対応テーブルが設けられており、撮影位置判別部２０４は、映像ストリームに付加されている現在位置情報で示されるカメラ１０の現在位置が、どの位置情報範囲内であるかを判別することで、撮影位置が何番ホールのどの位置であるかを判別する。そして、撮影位置判別部２０４は、判別した撮影位置について撮影位置識別情報（以下、撮影位置ＩＤという）を付与して、その撮影位置ＩＤを、受信映像バッファメモリ２０３において、当該撮影位置が判別された映像ストリームのカメラＩＤに対応付けて記憶するようにする。
【００５６】
なお、対応テーブル情報記憶部２１１には、図４（Ａ）に示すように、各撮影位置ＩＤと、その撮影位置名称との対応テーブル情報が記憶されている。
【００５７】
なお、カメラ１０の撮影位置情報発生部１０５は、この例では、カメラ１０が、定点的に固定的な位置に配置されるので、何番ホールのどの位置であるかを示す情報を予め登録して、その登録情報を、撮影部１０２で撮影した映像ストリームに付加するようにしてもよい。その場合には、撮影位置判別部２０４では、その登録情報を検出することで何番ホールのどの位置のカメラ１０からの映像ストリームであることを判別することができる。あるいは、撮影位置判別部２０４の代わりに、映像ストリームに付加された何番ホールのどの位置のカメラ１０かの情報を、撮影位置ＩＤに置き換える手段を設けるようにしてもよい。
【００５８】
選手認識部２０５は、この例では、顔画像認識（顔認識）機能を有する。選手顔画像記憶部２１３には、予め、当該ゴルフ競技に参加している選手の顔画像と、その選手に付与された識別情報（以下選手ＩＤ）とが対応付けられて登録され、記憶されている。この場合に、選手顔画像記憶部２１３には、当該ゴルフ競技に参加している全ての選手の顔画像と、その選手ＩＤとを登録しておいてもよいし、全ての選手の中から選択した複数の選手の顔画像と、その選手ＩＤとを登録しておいてもよい。
【００５９】
選手認識部２０５は、受信映像バッファメモリ２０３に一時記憶された映像ストリームの映像情報について、選手顔画像記憶部２１３に記憶されている選手の顔画像を用いた顔画像認識を行い、当該映像ストリーム中に登場する選手を認識し、その認識結果として選手ＩＤを選手顔画像記憶部２１３から得る。そして、選手認識部２０５は、判別の結果得られた選手ＩＤを、受信映像バッファメモリ２０３において、当該選手が認識された映像ストリームのカメラＩＤと対応付けて記憶するようにする。なお、ゴルフ競技では、同一の組で、複数の選手がプレーするので、選手認識部２０５では、複数人の選手が同時に認識される場合もある。
【００６０】
なお、対応テーブル情報記憶部２１１には、図４（Ｂ）に示すように、各選手ＩＤと、その選手名との対応テーブル情報が記憶されている。
【００６１】
推奨場面判定部２０６は、この例では、画像認識機能を有し、受信映像バッファメモリ２０３に一時記憶された映像ストリームの画像内容について画像認識を行うことで、観戦者による観視を推奨する場面（この明細書ではこの場面を推奨場面と称する）を予測して検出する。推奨場面としては、例えば、ティーショット、セカンドショット、アプローチショット、バンカーショット、パッティングなどの、選手がプレーに入る準備からプレーを経てプレー終了に至る場面であり、推奨場面判定部２０６は、その推奨場面を、その開始に先立ち、予測して検出する。
【００６２】
そして、推奨場面判定部２０６は、この実施形態においては、上記の推奨場面の予測検出は、
・選手がティーグランドに登場したこと
・フェアウエイまたはラフを歩いていた選手が所定時間以上止まったこと
・選手がパッティンググリーン上に登場したこと
・選手がバンカー内に入ろうとしていること
・キャディーが担いでいたゴルフバックを選手の傍で置いたこと
・キャディーが選手にゴルフクラブを渡したこと
などの選手やキャディーの挙動や状況を、画像認識により自動認識することにより行う。
【００６３】
そして、推奨場面判定部２０６は、この実施形態では、各映像ストリームについて常時推奨場面の判定処理を行い、その判定結果として推奨フラグを生成する。例えば、推奨場面判定部２０６は、上記の選手の挙動や状況を認識したときには、その認識時点から推奨フラグを例えば「１」にし、選手のプレーが終了するまでの間、当該推奨フラグを「１」のままとする。そして、推奨場面判定部２０６は、その他の期間では推奨フラグを「０」にしておくようにする。そして、推奨場面判定部２０６は、生成した推奨フラグを、受信映像バッファメモリ２０３において、当該推奨場面判定を行った映像ストリームのカメラＩＤと対応付けて記憶するようにする。
【００６４】
さらに、推奨場面判定部２０６は、推奨場面判定を行った映像ストリームについて、推奨フラグが「１」に立ち上ったことを、当該映像ストリームのカメラＩＤと共に推奨場面予告通知部２０７に通知するようにする。この推奨フラグが「１」に立ち上ったことの通知は、推奨場面判定部２０６が、推奨フラグが「１」に立ち上った時点でパルス信号等、所定の信号を生成して推奨場面予告通知部２０７に送ることで行ってもよいし、推奨場面予告通知部２０７が、推奨場面判定部２０６から推奨フラグを受けて、推奨フラグが「１」に立ち上ったことを検知することで行ってもよい。
【００６５】
推奨場面予告通知部２０７は、推奨フラグが「１」に立ち上ったことに基づいて、当該推奨フラグが「１」に立ち上った映像ストリームの推奨場面の存在を、利用観戦者に、この例では電子メールにより予告通知する。この予告通知の電子メールのメッセージには、後述する図１２（Ａ）に示すように、推奨場面でプレーを行う選手名と、推奨場面の撮影位置名称が含まれると共に、当該推奨場面を含む映像ストリームを観戦者端末３０が取得するための情報が含まれる。この実施形態では、推奨場面を含む映像ストリームを観戦者端末３０が取得するための情報は、図１２（Ａ）にも示すように、対応する映像ストリームの提供がなされるＷｅｂページのＵＲＬとされる。
【００６６】
推奨場面予告通知部２０７は、推奨場面でプレーを行う選手名と、推奨場面の撮影位置名称とを、当該推奨場面が判定された映像ストリームのカメラＩＤに基づいて、受信映像バッファメモリ２０３の記憶情報と、対応テーブル情報記憶部２１１の記憶情報から取得する。すなわち、推奨場面予告通知部２０７は、当該推奨場面が判定された映像ストリームのカメラＩＤに対応付けられて受信映像バッファメモリ２０３に記憶されている撮影位置ＩＤ及び選手ＩＤを取得する。そして、推奨場面予告通知部２０７は、取得した撮影信号ＩＤ及び選手ＩＤにより対応テーブル情報記憶部２１１を参照することで、対応する撮影位置名称及び選手名を取得する。そして、推奨場面予告通知部２０７は、それら取得した撮影位置名称及び選手名を用いて、図１２（Ａ）に示したような電子メールのメッセージを生成するようにする。なお、撮影位置名称及び選手名に関しては、その一方のみを用いてもよいし、その両方を用いず、推奨場面予告通知するだけでもよい。
【００６７】
また、推奨場面予告通知部２０７は、当該推奨場面が判定された映像ストリームのカメラＩＤに対応付けられているＷｅｂページのＵＲＬをカメラ映像提供部２０８から取得するようにする。なお、推奨場面が判定された映像ストリームのカメラＩＤに対応付けられているＷｅｂページのＵＲＬは、カメラ映像提供部２０８から取得するのではなく、推奨場面予告通知部２０７が、予め、カメラ映像提供部２０８の映像ストリームを提供するＷｅｂページのＵＲＬと、各映像ストリームのカメラＩＤとの対応テーブル情報を備えるようにして、推奨場面が判定された映像ストリームのカメラＩＤに基づいて、当該対応テーブル情報から取得するようにしてもよい。
【００６８】
ところで、推奨場面予告通知部２０７は、全ての推奨場面の予告通知を、全ての観戦者端末３０に対して行うようにしてもよいが、前述したように、この実施形態では、利用観戦者のそれぞれが、予め映像収集提供装置２０に登録した選手及び撮影位置に関してのみ、推奨場面の予告通知をするように構成している。
【００６９】
登録情報記憶部２１２には、後述するようにして、各観戦者端末３０からの選手及び撮影位置についての登録情報が記憶されている。図５は、この登録情報記憶部２１２に記憶されている登録情報の一例である。すなわち、図５に示すように、観戦者端末３０のそれぞれからの登録アクセス及び登録事項の受け付け処理に基づいて、映像収集提供装置２０は、観戦者端末３０のそれぞれについて、端末識別情報（以下、端末ＩＤという）と、電子メールアドレスと、登録する選手の選手ＩＤと、登録する撮影位置の撮影位置ＩＤとを対応付けて登録情報記憶部２１２に記憶するようにする。この場合に、観戦者端末３０のそれぞれについて、登録する選手及び撮影位置は、一つのみに限定される訳ではなく、図５に示すように、複数であってもよい。
【００７０】
推奨場面予告通知部２０７は、推奨フラグが「１」に立ち上ったことに基づいて予告通知をしようとする際に、当該推奨場面が判定された映像ストリームのカメラＩＤに基づいて取得した選手ＩＤ及び撮影位置ＩＤと、登録情報記憶部２１２に記憶されている選手ＩＤ及び撮影位置ＩＤとを比較参照して、一致するものがあるかどうかの判定を行う。そして、推奨場面予告通知部２０７は、選手ＩＤ及び撮影位置ＩＤのいずれかについて、一致するものがあると判別したときには、当該一致した選手ＩＤまたは撮影位置ＩＤに対応付けられている電子メールアドレスを登録情報記憶部２１２から取得する。そして、取得した電子メールアドレスに宛てて、前述したような推奨場面の予告通知の電子メールを送信するようにする。選手ＩＤまたは撮影位置ＩＤについて一致する観戦者端末３０が複数検出されたときには、当該複数の観戦者端末３０の全てに推奨場面の予告通知の電子メールを送信するのは勿論である。
【００７１】
カメラ映像提供部２０８は、前述したように、この実施形態では、カメラＩＤのそれぞれに対応した複数のＷｅｂページを備えている。この複数のＷｅｂページのそれぞれは、対応するカメラＩＤの映像ストリームを、当該Ｗｅｂページにアクセスしてきたクライアント（観戦者端末３０）に送出するようにするためのものである。制御部２０１の制御により、受信映像バッファメモリ２０３からの各カメラＩＤの映像ストリームは、対応するカメラＩＤのＷｅｂページを通じて、当該Ｗｅｂページにアクセスしてきた観戦者端末３０に提供される。
【００７２】
この実施形態では、受信映像バッファメモリ２０３からカメラ映像提供部２０８に送られる情報には、映像ストリームのみではなく、対応テーブル情報記憶部２１１から選手ＩＤ及び撮影位置ＩＤに基づいて取得される選手名及び撮影位置名称を含む。そして、カメラ映像提供部２０８から観戦者端末３０に提供される映像ストリームには、選手名及び撮影位置名称を含み、観戦者端末３０では、どの選手の、どの撮影位置の映像であるかが表示される。なお、観戦者端末３０に、対応テーブル情報記憶部２１１と同じ対応テーブル情報記憶部を備えておくことで、観戦者端末３０に提供する映像ストリームと共に提供される情報は、選手ＩＤ及び撮影位置ＩＤとして、観戦者端末３０において、受信した選手ＩＤ及び撮影位置ＩＤを、対応テーブル情報記憶部の記憶内容を参照することで、選手名や撮影位置名称を表示するようにしてもよい。
【００７３】
ネットワークインターフェース２０９は、インターネット４０を介して観戦者端末３０と接続するためのもので、この実施形態では、インターネット４０との接続は、例えば携帯電話網などの無線ネットワーク（図示は省略）を通じて接続される構成である。もちろん、無線ネットワークではなく、光ファイバー回線などの有線ネットワークを通じて接続される構成であってもよい。
【００７４】
この実施形態では、映像収集提供装置２０は、このネットワークインターフェース２０９を通じて、観戦者端末３０からの選手や撮影位置の登録を受け付けるためのやり取りをしたり、推奨場面の予告通知の電子メールを送信したり、観戦者端末３０からの映像ストリームの取得要求となるアクセスを受信したり、当該観戦者端末３０からのアクセスに対して映像ストリームを観戦者端末３０に送信したりするようにする。
【００７５】
設定登録メニュー情報記憶部２１０は、観戦者端末３０による選手や撮影位置の登録を受け付けるためのメニュー情報を記憶している。観戦者端末３０から、選手や撮影位置の登録要求を受けたときに、制御部２０１の制御に基づいて、この設定登録メニュー情報記憶部２１０に記憶されているメニュー情報が適宜読み出されて、登録要求してきた観戦者端末３０に送られるように構成されている。
【００７６】
対応テーブル情報記憶部２１１は、前述したように、図４（Ａ）及び（Ｂ）に示した、撮影位置ＩＤと撮影位置名称との対応テーブルの情報と、選手ＩＤと選手名との対応テーブルの情報とを記憶している。
【００７７】
登録情報記憶部２１２には、前述したように、図５に示した観戦者端末３０からの選手及び撮影位置に関する登録情報が、観戦者端末３０のそれぞれの端末ＩＤに対応付けられて記憶されている。
【００７８】
なお、上述の説明では、推奨場面判定部２０６では、画像認識により、推奨場面の予測検出を自動認識により行うようにしたが、撮影者やオペレータによる、映像ストリーム中の推奨場面が予測される時点でのキュー（マーキング）操作などの所定の操作に基づいて、推奨場面を判定し、推奨フラグを「１」とするようにしてもよい。
【００７９】
すなわち、例えばカメラ１０の撮影者が、撮影中に、推奨場面の開始が予測される時点で、開始キュー操作をすると共に、推奨場面が終了した時点で終了キュー操作をすることで、当該開始キュー操作に基づく開始キュー情報及び終了キュー操作に基づく終了キュー情報を、映像ストリームに付加して、映像収集提供装置２０に送信するようにする。その場合には、映像収集提供装置２０の推奨場面判定部２０６では、映像ストリームに付加されている開始キュー情報の時点から推奨フラグを「１」として、終了キュー情報の時点で推奨フラグを「０」にするようにする。
【００８０】
また、映像収集提供装置２０で、オペレータが収集した映像ストリームのモニター画像を監視し、推奨場面が予測される時点で、開始キュー操作及び終了キュー操作をするようにしてもよい。その場合には、推奨場面判定部２０６は、オペレータからの開始キュー操作を受けたことを検知した時点に対応して、推奨フラグを「１」にし、終了キュー操作を受けたことを検知した時点に対応して、推奨フラグを「０」に戻すようにする。
【００８１】
なお、前述したように、カメラ１０が、同じ撮影位置例えば同じティーグランドに、選手に対して正対する方向、選手の後方など複数箇所に配置される場合は、その情報も併せて付加するようにしてもよい。その場合、提供する映像ストリームは、複数の映像ストリームとなり、ティーグランドの選手に正対して撮影するカメラの映像ストリーム、選手の後方から撮影するカメラの映像ストリームなどとされ、複数箇所の位置（選手に正対、選手の後方など）を識別するための情報が、撮影位置ＩＤ（識別情報）として付加される。
【００８２】
また、撮影位置判別部２０４、選手認識部２０５、推奨場面判定部２０６の上述した処理動作は、制御部２０１が、そのソフトウエア機能として実行する機能処理手段としてもよい。
【００８３】
［観戦者端末３０の構成例］
図６は、観戦者端末３０の構成例を示すブロック図である。すなわち、この例では、観戦者端末３０は、制御部３０１に対して、システムバス３００を通じて、ネットワークインターフェース３０２、受信映像再生部３０３、表示制御部３０４、表示部３０５、操作部３０６、メール送受信処理部３０７、メール着信通知部３０８、要求送信部３０９、登録処理部３１０、のそれぞれが接続されて構成されている。メール着信通知部３０８には、バイブレーション駆動部３１１が接続されている。
【００８４】
制御部３０１は、マイクロコンピュータ（図示せず）を備えて構成されており、観戦者端末３０の全体の動作を、内蔵するメモリに記憶されているプログラムにより制御する。
【００８５】
ネットワークインターフェース３０２は、インターネット４０に接続するためのもので、この実施形態では、インターネット４０との接続は、例えば携帯電話網などの無線ネットワーク（図示は省略）を通じて接続される構成である。もちろん、無線ネットワークではなく、光ファイバー回線などの有線ネットワークを通じて接続される構成であってもよい。
【００８６】
受信映像再生部３０３は、ネットワークインターフェース３０２を通じて受信した映像ストリームの動画映像情報を復元し、表示制御部３０４に渡す。表示制御部３０４は、表示部３０５に表示画像を表示するように制御する。表示部３０５は、この例ではＬＣＤ（Liquid  Crystal  Display；液晶ディスプレイ）パネルからなり、表示制御部３０４の表示制御に基づいて、その表示画面に表示画像を表示する。
【００８７】
操作部３０６は、この例では、表示部３０５を構成するＬＣＤパネルに重畳して配設されているタッチパネルの構成とされている。もちろん、操作部３０６はタッチパネルの構成に限定されるものではなく、例えば、ＬＣＤパネル近傍に取り付けられたボタン（図示せず）で構成されてもよいし、別体のリモコン（図示せず）で構成されてもよい。また、ＬＣＤパネル近傍にマイクロフォン（図示せず）を取り付け、利用観戦者の発する音声を収音し、収音された音声を音声認識することで、操作部３０６を実現することもできる。また、ＬＣＤパネル近傍にカメラ（図示せず）を取り付け、利用観戦者のジェスチャーを撮影し、撮影画像を画像認識（ジェスチャー認識）することで、操作部３０６を実現することもできる。
【００８８】
メール送受信処理部３０７は、ネットワークインターフェース３０２を通じて電子メールを受信したり、送信したりするための処理部である。このメール送受信処理部３０７は、いわゆるメーラーのアプリケーションプログラムとして構成し、制御部３０１がソフトウエア処理機能として構成することが可能である。
【００８９】
メール着信通知部３０８は、ネットワークインターフェース３０２を通じて電子メールを受信したときに、バイブレーション駆動部３１１によりバイブレーションを駆動して振動により利用観戦者に、電子メールの着信を報知するようにする。
【００９０】
要求送信部３０９は、電子メールとして推奨場面の予告通知を受信したときには、利用観戦者による操作部３０６を通じた要求操作に応じて、受信した推奨場面の予告通知のメッセージに含まれる、推奨場面を含む映像ストリームを観戦者端末３０が取得するための情報、この例では、ＷｅｂページのＵＲＬを含む映像取得要求を生成し、当該映像取得要求を、ネットワークインターフェース３０２を通じて映像収集提供装置２０に送信するようにする。
【００９１】
登録処理部３１０は、映像収集提供装置２０に対して、推奨場面の予告通知をしてもらいたい選手や撮影位置の登録をするための処理機能を備えている。
【００９２】
なお、受信映像再生部３０３、表示制御部３０４、メール送受信処理部３０７、メール着信通知部３０８、要求送信部３０９、登録処理部３１０の上述した処理動作は、制御部３０１が、そのソフトウエア機能として実行する機能処理手段としてもよい。
【００９３】
［推奨場面の予告通知を受けたい選手、撮影位置の登録処理］
図７は、観戦者端末３０における、推奨場面の予告通知を受けたい選手、撮影位置の登録処理の流れの例を説明するためのフローチャートである。また、図８は、当該登録処理時の観戦者端末３０の表示部３０５の表示画面３０５Ｄの一例である。なお、以下の説明は、観戦者端末３０の登録処理部３１０の処理機能を、制御部３０１がプログラムによるソフトウエア機能として実現した場合として説明する。
【００９４】
利用観戦者が、観戦者端末３０の操作部３０６を通じて、推奨場面の予告通知を受けたい選手、撮影位置の登録の開始を指示すると、観戦者端末３０の制御部３０１は、登録用アプリケーションを起動させる（図７のステップＳ１）。
【００９５】
次に、制御部３０１は、映像収集提供装置２０に対して、推奨場面の予告通知を受けたい選手、撮影位置の登録要求を送る（ステップＳ２）。すると、映像収集提供装置２０は、登録可能である当該ゴルフ競技に参加している全ての選手名のリスト及び登録可能である当該ゴルフ競技における全ての撮影位置名称のリストを送ってくる。選手名のリストは、図４（Ｂ）に示したような選手名と選手ＩＤとからなり、撮影位置名称のリストは、図４（Ａ）に示したような撮影位置名称と撮影位置ＩＤとからなる。
【００９６】
観戦者端末３０の制御部３０１は、映像収集提供装置２０からの選手名リスト及び撮影位置名称のリストを受信し（ステップＳ３）、選手及び撮影位置の登録用画面を生成して、例えば図８（Ａ）及び（Ｂ）に示すように表示する（ステップＳ４）。利用観戦者は、この表示画面３０５Ｄに表示されている選手登録のためのガイドメッセージに従い、自分が観視したい選手や撮影位置を登録することができる。
【００９７】
制御部３０１は、利用観戦者による選手の登録入力を受け付け（ステップＳ５）、また、撮影位置の登録入力を受け付ける（ステップＳ６）。次に、制御部３０１は、利用観戦者によって、登録入力の完了に基づく登録指示がなされたか否か判別し（ステップＳ７）、登録指示がなされていないと判別したときには、処理をステップＳ５に戻し、このステップＳ５以降の処理を繰り返す。
【００９８】
そして、ステップＳ７で、利用観戦者によって、登録入力の完了に基づく登録指示がなされたと判別したときには、制御部３０１は、映像収集提供装置２０に対して、登録する選手名の選手ＩＤ及び登録する撮影位置名称の撮影位置ＩＤと、自分の観戦者端末３０の電子メールアドレスと、自端末の端末ＩＤを含めた登録情報を送信する（ステップＳ８）。
【００９９】
図８（Ａ）の例では、選手名が「松○○樹」、「アダム○○」、「藤田××」のチェック欄にチェックがされているので、それらの選手の登録入力が受け付けられ、選手名「松○○樹」、「アダム○○」、「藤田××」に対応する選手ＩＤのそれぞれが、登録情報に含められて、映像収集提供装置２０に送られる。また、図８（Ｂ）の例では、「１８番ホールのグリーン」のチェック欄にチェックがされているので、その登録入力が受け付けられ、撮影位置名称「１８番ホールのグリーン」に対応する撮影位置ＩＤが、登録情報に含められて、映像収集提供装置２０に送られる。
【０１００】
次に、制御部３０１は、映像収集提供装置２０からの登録ＯＫの通知を待ち（ステップＳ９）、登録ＯＫの通知を受信したら、この登録の処理ルーチンを終了する。
【０１０１】
次に、図９は、この登録処理時の映像収集提供装置２０での処理の流れの例を示すフローチャートであり、以下に説明する。
【０１０２】
映像収集提供装置２０の制御部２０１は、観戦者端末３０から、推奨場面の予告通知を受けたい選手、撮影位置の登録要求を受け付けたか否か判別し（ステップＳ１０１）、受け付けてはいないと判別したときには、他の処理を実行し（ステップＳ１０２）、その後、ステップＳ１０１に処理を戻す。
【０１０３】
ステップＳ１０１で、推奨場面の予告通知を受けたい選手、撮影位置の登録要求を受け付けたと判別したときには、制御部２０１は、登録要求してきた観戦者端末３０に選手名リスト及び撮影位置名称リストを送る（ステップＳ１０３）。そして、制御部２０１は、登録要求してきた観戦者端末３０からの登録情報の受信を待つ（ステップＳ１０４）。
【０１０４】
そして、ステップＳ１０４で、観戦者端末３０からの登録情報の受信を受け付けたと判別したときには、制御部２０１は、受信した登録情報を、図５に示したように、当該観戦者端末３０の端末ＩＤに対応付けて、登録情報記憶部２１２に記憶する（ステップＳ１０５）。その後、制御部２０１は、登録ＯＫを登録要求してきた観戦者端末３０に送信し（ステップＳ１０６）、この登録処理のルーチンを終了する。
【０１０５】
なお、ゴルフトーナメントの場合、予選ラウンド、決勝ラウンドと３日間乃至４日間行われる。上記の登録は、一日ごとに行うようにしてもよいし、予選ラウンドと決勝ラウンドで分けて行うようにしてもよい。また、３日間乃至４日間通しで行えるようにしてもよい。通しで行う場合、決勝ラウンドでは、決勝ラウンド進出選手名を、観戦者端末３０は、映像収集提供装置２０など、大会事務局が準備するサーバ装置などから入手し、予選落ちした選手の選手名や選手ＩＤは、抹消する。また、通しで登録できるようにしておいて、当日ごとに、観戦者端末３０は、映像収集提供装置２０など、大会事務局が準備するサーバ装置などにアクセスして、追加登録や削除ができるようにしてもよい。ゴルフトーナメントは、当日のスタート表により、選手のペアリング（２人乃至３人を一緒の組にする組合せ）が発表されるので、そのペアリングによって、利用者は、登録内容を変更したくなることがあるが、その場合に便利である。もちろん、同一日の中でも登録内容を変更できるようにしてもよい。また、大会事務局が準備するサーバ装置などに、当日の注目選手や活躍している選手、注目ホールなどのリアルタイム情報を提供するようにすれば、利用観戦者は、そのリアルタイム情報を参考に登録内容を変更できるので便利である。
【０１０６】
さらに、この登録内容を次回以降のゴルフトーナメントでも、継続して利用できるようにすることもできる。
【０１０７】
［推奨場面の予告通知メールの送信の処理動作］
図１０は、映像収集提供装置２０における、推奨場面の予告通知の送信処理の流れの一例を説明するためのフローチャートである。この図１０のフローチャートは、１台のカメラ１０からの映像ストリームについての処理に関するもので、複数台のカメラ１０のそれぞれについて、図１０の処理が並列して実行されるものである。なお、以下のこのフローチャートの各ステップの処理の説明においては、撮影位置判別部２０４、選手認識部２０５、推奨場面判定部２０６及び推奨場面予告通知部２０７の処理を、制御部２０１がソフトウエア機能として実行する場合として説明する。
【０１０８】
制御部２０１は、カメラ１０から受信した映像ストリームの画像内容について、前述したようにして、推奨場面の判定処理を実行し（ステップＳ１１１）、推奨場面を検知したか否か判別する（ステップＳ１１２）。なお、ステップＳ１１１では、カメラ１０から受信した映像ストリームの画像内容から選手の認識処理及び当該映像ストリームの撮影位置の判別の処理も併せて行うものである。そして、ステップＳ１１２で、推奨場面を検知してはいないと判別したときには、制御部２０１は、処理をステップＳ１１１に戻して、このステップＳ１１１以降の処理を繰り返す。
【０１０９】
ステップＳ１１２で、推奨場面を検知したと判別したときには、制御部２０１は、受信映像バッファメモリ２０３の記憶内容を参照して、当該推奨場面を検知した映像ストリームを送信してきたカメラ１０のカメラＩＤ、その撮影位置ＩＤ、選手ＩＤ、を認定する（ステップＳ１１３）。
【０１１０】
そして、制御部２０１は、登録情報記憶部２１２の記憶内容を参照して、ステップＳ１１３で認定した撮影位置ＩＤ、選手ＩＤのいずれか、あるいは両方が登録されている観戦者端末３０を認定し、当該認定した観戦者端末３０に、推奨場面の予告通知メールを送信する（ステップＳ１１４）。この場合に、認定した観戦者端末３０が複数あるときには、それらの複数の観戦者端末３０のそれぞれに推奨場面の予告通知メールを送ることは言うまでもない。
【０１１１】
［推奨場面の予告通知メールの受信処理動作］
図１１は、観戦者端末３０における、推奨場面の予告通知の受信処理の流れの一例を説明するためのフローチャートである。この図１１のフローチャートの各ステップの処理の説明においては、受信映像再生部３０３、表示制御部３０４、メール送受信処理部３０７、メール着信通知部３０８及び要求受信部３０９の処理を、制御部３０１がソフトウエア機能として実行する場合として説明する。
【０１１２】
制御部３０１は、映像収集提供装置２０からの推奨場面の予告通知メールを受信したか否か判別し（ステップＳ１１）、受信してはいないと判別したときには、その他の処理を実行した後、処理をステップＳ１１に戻す。
【０１１３】
ステップＳ１１で、映像収集提供装置２０からの推奨場面の予告通知メールを受信したと判別したときには、制御部３０１は、バイブレーションを駆動して、振動により利用観戦者に予告通知メールの着信を報知する（ステップＳ１３）。そして、この実施形態では、利用観戦者の操作を待たずに、着信した電子メールのメッセージ内容を表示部３０５の表示画面３０５Ｄに表示する（ステップＳ１４）。
【０１１４】
この時の表示画面３０５Ｄに表示される電子メールのメッセージ内容の例を図１２（Ａ）に示す。この図１２（Ａ）に示されるように、電子メールのメッセージ内容には、当該推奨場面でプレーをする選手名と当該推奨場面の撮影位置名称、また、当該推奨場面を含む映像ストリームを取得するための情報の例としてのＵＲＬが含まれるのは前述した通りである。表示画面３０５Ｄに表示されているＵＲＬの欄３２１をタッチすると、当該タッチ操作は、当該ＵＲＬのＷｅｂページへのアクセスの実行要求操作となる。なお、この実施形態では、予告通知された推奨場面を、利用観戦者が観ないことを選択する場合を想定して、表示画面３０５Ｄには、この例では、図１２（Ａ）に示すように、「終了」アイコン３２２が表示されている。「終了」アイコンではなく、「今回は観ない」、「キャンセル」などのアイコンを表示するようにしてもよい。また、今すぐは観ないが、少し経ったら観たいという場合などのために、「後で観る」アイコンを表示するようにしてもよい。「後で観る」アイコンをタッチした場合には、所定時間後（例えば１分後）に、自動的に当該ＵＲＬのＷｅｂページへのアクセスの実行要求操作を行うようにしてもよい。
【０１１５】
なお、通常の電子メール受信と同様に、利用観戦者による電子メールを開く操作を待って、予告通知メールのメッセージ内容を表示するようにしてもよいが、この実施形態では、できるだけ迅速に、かつ、利用観戦者の手を煩わせることなく、予告通知メールの内容を伝えることができるようにするために、予告通知メールのメッセージ内容は自動開封とするようにしている。
【０１１６】
また、図１２（Ａ）の例では、表示画面３０５Ｄの全体を予告通知の電子メールのメッセージ表示用としたが、表示画面３０５Ｄの半分など、一部を、予告通知の電子メールのメッセージ表示用とするようにしてもよい。そのようにすれば、予告通知前に観ていた場面が是非とも観たい場面であったときに、予告通知メールにより、その場面の観視が妨げられることがない。
【０１１７】
次に、制御部３０１は、表示画面３０５Ｄに表示されている電子メールのメッセージ内容にガイドされて、当該推奨場面を含む映像ストリームを取得するための情報の例としてのＵＲＬがタッチされて、当該ＵＲＬのＷｅｂページへのアクセスの実行要求がなされたか否か判別する（ステップＳ１５）。
【０１１８】
このステップＳ１５で、ＵＲＬがタッチされていないと判別したときには、制御部３０１は、「終了」アイコン３２２がタッチされたか否か判別する（ステップＳ１６）。このステップＳ１６で、「終了」アイコン３２２がタッチされてはいないと判別したときには、制御部３０１は、処理をステップＳ１５に戻す。また、ステップＳ１６で、「終了」アイコン３２２がタッチされたと判別したときには、制御部３０１は、電子メールのメッセージ内容の表示画面を消去して、一つ前の元の表示画面の状態に戻す（ステップＳ１７）。制御部３０１は、その後、処理をステップＳ１１に戻し、このステップＳ１１以降の処理を繰り返す。
【０１１９】
ステップＳ１５で、ＵＲＬがタッチされたと判別したときには、制御部３０１は、当該ＵＲＬのＷｅｂページにアクセスし、予告通知された推奨場面を含む映像ストリームを受信して表示画面３０５Ｄに表示するようにする（ステップＳ１８）。この時の表示画面３０５Ｄの表示画像の例を図１２（Ｂ）に示す。この図１２（Ｂ）に示すように、この映像ストリームの画面においては、撮影場所名と選手名とが、表示欄３２３に表示されている。なお、前述したように、カメラ１０が同じティーグランドに、選手に正対、選手の後方などの複数箇所に配置される場合、撮影位置名称は「Ｎｏ．１  Ｔｅｅ  （選手）正対」「Ｎｏ．１  Ｔｅｅ  （選手）後方」などとされる。
【０１２０】
次に、制御部３０１は、利用観戦者により映像表示終了指示操作がなされたか否か判別する（ステップＳ１９）。このステップＳ１９で、映像表示終了指示操作がなされてはいないと判別したときには、制御部３０１は、推奨場面の予告通知メールを受信したか否か判別し（ステップＳ２０）、推奨場面の予告通知メールを受信してはいないと判別したときには、処理をステップＳ１９に戻す。また、ステップＳ２０で、推奨場面の予告通知メールを受信したと判別したときには、制御部３０１は、処理をステップＳ１３に戻し、このステップＳ１３以降の処理を繰り返す。
【０１２１】
また、ステップＳ１９で、映像表示終了指示操作がなされたと判別したときには、制御部３０１は、表示画面３０５Ｄに表示されている映像ストリームを提供しているＷｅｂページへのアクセスを切断して、表示画面３０５Ｄにおける映像ストリームの表示を停止し（ステップＳ２１）、その後、処理をステップＳ１１に戻し、このステップＳ１１以降の処理を繰り返す。
【０１２２】
［実施形態の効果］
以上のようにして、上述の実施形態によれば、観戦者端末３０を所持する利用観戦者は、実際には観ることができない位置における選手のプレーを確実に観ることができる。そして、上記の実施形態によれば、映像収集提供装置２０は、選手がプレーの開始をする前に、推奨場面の予告通知を観戦者端末に対して行い、観戦者端末は、当該推奨場面の予告通知を利用観戦者に報知するので、利用観戦者は、自分が観たい場面を見落としなく、確実に観ることができる。
【０１２３】
そして、推奨場面の予告通知には、推奨場面が含まれる映像ストリームを取得するための情報、上述の実施形態では、ＷｅｂページのＵＲＬが含まれており、観戦者端末３０から、そのＵＲＬを用いて、映像ストリームを提供するＷｅｂページにアクセスすることができる。したがって、映像ストリームの提供のための設備を簡単にすることができると共に、観戦者端末３０の構成も、通常のインターネットを通じたＷｅｂページのアクセス機能を有するだけで良いという効果もある。
【０１２４】
しかも、上述の実施形態においては、利用観戦者は、観戦者端末３０において、特に観たい選手や、特に観たい撮影位置を登録することができ、その登録した選手や撮影位置に対応して、推奨場面の予告通知に基づく報知が、利用者に対してなされるので、特に観たい選手や、特に観たい撮影位置のプレーを、見逃しなく観視することが可能となる。
【０１２５】
［上述の実施形態の変形例］
上述の実施形態では、推奨場面の予告通知は、電子メールを用いて行うようにしたが、予告通知の方法は、電子メールによる方法に限られるものではない。例えば、ＬＩＮＥなどのインスタントメッセンジャーを用いて推奨場面の予告通知をするようにしてもよい。また、ＳＮＳ（Social Networking Service：ソーシャルネットワーキングサービス）において、図１４に示すように、映像収集提供装置２０Ａのボットと、全ての観戦者端末３０Ａのボットとを友人関係として、映像収集提供装置２０Ａから、ダイレクトメッセージにより、推奨場面の予告通知をするようにしてもよい。また、観戦者端末３０Ａが、専用端末である場合には、推奨場面の予告通知のための専用機能を構築するようにしてもよい。
【０１２６】
また、上述の実施形態では、観戦者端末３０または３０Ａへの映像ストリームの提供方法は、Ｗｅｂページを用いた方法として、映像ストリームを取得するための情報としては、ＷｅｂページのＵＲＬとしたが、観戦者端末３０または３０Ａへの映像ストリームの提供方法は、これに限られるものではない。
【０１２７】
例えば、複数のカメラ１０のそれぞれからの映像ストリームや、選手毎の映像ストリーム、あるいは撮影位置毎の映像ストリームを、多チャンネルのエリア放送として、競技が行われているゴルフ場に流してもよい。図１３は、そのエリア放送の場合の各チャンネルの放送信号を説明するための図で、それぞれのチャンネル用の映像ストリーム（第１映像ストリーム、第２映像ストリーム、・・・・）と共に、選手名や撮影位置名称が放送信号に含まれる構成とすることが望ましい。この場合の映像ストリームを取得するための情報としては、放送信号から、推奨場面が含まれる映像ストリームを提供するチャンネルを選択する情報とされる。
【０１２８】
ここで、映像収集提供装置２０または２０Ａからの、観戦者端末３０または３０Ａへの映像ストリーム放送方式としては、例えばＷｉ−Ｆｉ（登録商標）を用いたマルチキャストによるＷｉ−Ｆｉ（登録商標）利用放送を用いる（http://www.isid.co.jp/news/2012/0216.html参照）。観戦者端末３０または３０Ａでは、各映像ストリームのパケットのヘッダ部に含まれる撮影位置情報に応じた識別情報（映像ストリームＩＤ）に基づいて、複数の映像ストリームの中から、所望の映像ストリームの選択をすることができる。なお、アクセスポイントは、各ホール毎に複数個配設するようにするとよい。この場合の映像ストリームを取得するための情報としては、放送信号から、推奨場面が含まれる映像ストリームの映像ストリームＩＤとされる。
【０１２９】
なお、映像収集提供装置２０または２０Ａからの観戦者端末３０または３０Ａへの映像ストリーム放送技術は、上述した例に限らず、ＩＰマルチキャストによる映像ストリーム配信としてもよい。その場合には、映像収集提供装置２０または２０Ａは、各観戦者端末３０または３０Ａから、ホールや選手に付いての登録情報を受け付けて記憶しておき、ホール毎や選手毎の映像ストリームを生成して、対応するホールや選手が登録されている観戦者端末３０または３０Ａに、対応する映像ストリームをマルチキャスト配信するようにすればよい。
【０１３０】
また、映像収集提供装置２０または２０Ａからの観戦者端末３０または３０Ａへの放送による映像ストリーム配信には、地上デジタル放送に割り当てられたＵＨＦ帯のホワイトスペースを活用して行われるワンセグ携帯等の地上デジタルテレビ放送受信機に向けたエリア限定放送サービスを利用することもできる。その場合には、観戦者端末としては、ワンセグ携帯等の地上デジタルテレビ放送受信機の機能を備えるスマートフォンなどの携帯端末を用いることができる。
【０１３１】
また、映像収集提供装置２０または２０Ａからの観戦者端末３０または３０Ａへの映像ストリーム配信技術として、ＷｉＭＡＸ技術を用いるようにしてもよい。
【０１３２】
また、上述の実施形態では、カメラ１０の映像ストリームは、常時、映像ストリームとして配信するようにしたが、推奨場面の予告通知により通知すべき推奨場面が発生している映像ストリーム部分（推奨フラグが「１」になっている部分）のみを配信するようにしてもよい。
【０１３３】
また、前述したＳＮＳにおいては、図１４に示したように、映像収集提供装置２０Ａと全ての観戦者端末３０Ａとが友人関係にある状態であるときに、映像収集提供装置２０Ａは、複数のカメラ１０からの映像ストリームを、それぞれ異なる投稿ページとしておくことで、映像ストリームの提供ができる。その場合には、映像収集提供装置２０Ａは、推奨場面の予告通知を、電子メールやＳＮＳの機能の一つとしてのインスタントメッセンジャーにより、観戦者端末３０Ａに送るようにする。そして、その予告通知には、カメラ１０からの映像ストリームの投稿ページの識別情報を含めることで、利用観戦者の操作により、当該投稿ページにアクセスするようにしてもよい。
【０１３４】
また、以上の説明では、観戦者端末３０または３０Ａにおける推奨場面を含む映像ストリームの取得及び表示は、利用観戦者の操作に基づいて行うようにしたが、専用のアプリケーションを、観戦者端末３０または３０Ａにインストールすることで、推奨場面の予告通知を受信したら、自動的に、映像ストリームを取得するための情報を用いて、映像ストリームを取得する処理操作を実行して、表示画面に映像ストリームを表示するようにしてもよい。
【０１３５】
また、上述の実施形態では、観戦者端末３０または３０Ａの利用観戦者は、映像収集提供装置２０または２０Ａからの推奨場面の予告通知を受けたことに基づいて、映像ストリームを取得して表示画面に表示するようにした。しかし、そのような場合だけではなく、利用観戦者２０または２０Ａは、任意の時点で、選手名を指定したり、撮影位置名称を指定したりして、対応する選手や撮影位置の映像ストリームを取得するようにすることもできる。
【０１３６】
例えば、利用観戦者は、観戦者端末３０または３０Ａを通じて選手名による映像ストリームの取得要求を映像収集提供装置２０または２０Ａに送る。すると、映像収集提供装置２０または２０Ａは、前述した選手名のリストを観戦者端末３０または３０Ａに送ってくるので、利用観戦者は、そのリストの中から、すぐに観たい選手を選択して、対応する映像ストリームの取得要求を映像収集提供装置２０または２０Ａに送る。このとき、映像ストリームの取得要求には、選択された選手の選手ＩＤが含まれるので、映像収集提供装置２０または２０Ａは、受信映像バッファメモリ２０３の記憶内容を参照して、当該選手ＩＤが対応付けられている映像ストリームのカメラＩＤを検知し、そのカメラＩＤのカメラ１０の映像ストリームのＷｅｂページのＵＲＬを検知する。
【０１３７】
そして、映像収集提供装置２０または２０Ａは、検知したＵＲＬを、観戦者端末３０または３０Ａに、前記取得要求に対する応答情報として返す。これを受信した観戦者端末３０または３０Ａは、受信したＵＲＬを用いて、Ｗｅｂページにアクセスすることで、利用観戦者が選択した選手の映像ストリームを取得して、表示画面３０５Ｄに表示させることができるようになる。なお、映像収集提供装置２０または２０Ａ及び観戦者端末３０または３０Ａのそれぞれは、以上の処理を実行するためのアプリケーションプログラムを備えるようにすることは勿論である。
【０１３８】
撮影位置名称を指定して、対応する撮影位置の映像ストリームを取得する場合も、上述した選手名を指定して対応する選手の映像ストリームを取得する場合と同様にして、選択指定した任意の撮影位置名称の位置における映像ストリームを、任意の時点で取得して観視することができる。
【０１３９】
また、上述の実施形態では、利用観戦者は、観戦者端末３０または３０Ａにおいて、特に観たい選手や、特に観たい撮影位置を登録することができたが、登録方法はそれに限定されるものではないことは勿論である。利用観戦者の楽しみ方は多様であり、例えば、贔屓やファンではなくても、パッティングの名手などの特定の選手のパッティングだけは見逃したくないという場合もある。これに対応するには、撮影者と撮影位置の両者を対（ペア）にして登録する構成にする。
【０１４０】
また、首位争いや上位争い、あるいは優勝争いをしている選手のプレーだけは、どうしても観たいということも多い。この場合は、別途、ゴルフトーナメント大会における順位情報を、大会事務局が準備するサーバから入手したり、ゴルフ場の電光掲示板などによる順位表（リーダーボード）をカメラで撮影して文字認識したりすることで入手する。入手した順位情報から、首位もしくは上位（例えば上位５名や３位タイまで）の選手の選手名及び選手ＩＤを取得し、その選手を登録することにより、首位争いや上位争い、あるいは優勝争いのプレーを楽しむことができる。
【０１４１】
また、例えば、観戦者端末３０または３０Ａが、貸与される専用端末である場合に、当該専用端末の観戦者端末３０または３０Ａには、映像収集提供装置２０または２０Ａから、順位情報が送られ、利用観戦者は、その時点での各順位の選手を特定できるものとしてもよい。また、携帯端末に専用のアプリケーションがダウンロードされることで構成される観戦者端末３０または３０Ａの場合には、当該ゴルフ競技の大会事務局のサーバに定期的にアクセスすることで、順位情報を常に更新しながら入手できるようにしてもよい。
【０１４２】
また、映像収集提供装置２０または２０Ａに、時々刻々の選手の順位情報を登録しておくようにすれば、観戦者端末３０または３０Ａの利用観戦者が観たい順位を登録すると、映像収集提供装置２０または２０Ａにおいて、その登録された順位の選手を特定して、登録情報記憶部２１２に登録情報として記憶することができる。
【０１４３】
また、ペアリングされた選手（２人乃至３人）の組は、一緒にラウンドするので、ペアリングされた選手の組を一括りにする組ＩＤを作成し、当該組ＩＤを登録することにより、その組の選手全員を一緒に観視することができる。この場合にも、映像収集提供装置２０または２０Ａには、当日の各組の選手を登録しておくようにして、その組の情報を、観戦者端末３０または３０Ａに提供することで、観戦者端末３０または３０Ａの利用観戦者は、観たい組を登録することができる。
【０１４４】
また、上述の実施形態では、登録する選手や撮影位置に優先順位付け（優先度の設定）をしなかったが、優先順位付けをするようにしてもよい。これにより、複数の観たい選手のプレーが重なった時や、複数の観たい撮影位置のプレーが重なった時でも、その時点で一番観たい選手や一番観たい撮影位置を選択することができる。観たい選手や観たい撮影位置が多い場合、推奨場面の予告通知が頻繁に発生してしまうので、優先順位付けは、その通知を取捨選択するためにも有用となる。
【０１４５】
さらに、選手や撮影位置とは無関係に、挑戦的あるいは冒険的な場面を登録できるようにしてもよい。挑戦的あるいは冒険的な場面は、カメラが自動認識するか、撮影者が手動で開始キュー操作を入れることで、登録可能である。この場面は、池越えのショット、パー５のホールの２オン狙い、林の中からグリーンに向けてのリカバリーショットなど、リスクの高いものであり、興味を持つ観戦者は多い。
【０１４６】
また、上述の実施形態においては、推奨場面の予測検出は、
・選手がティーグランドに登場したこと
・フェアウエイまたはラフを歩いていた選手が所定時間以上止まったこと
・選手がパッティンググリーン上に登場したこと
・選手がバンカー内に入ろうとしていること
・キャディーが担いでいたゴルフバックを選手の傍で置いたこと
・キャディーが選手にゴルフクラブを渡したこと
などの選手の挙動や状況を、画像認識により自動認識することにより行ったが、予測検出はこれに限定されない。例えば、選手が上記の挙動や状況になった後、ドライバー、アイアン、パターなどのゴルフクラブを握って、ゴルフボールに対峙してアドレスしたことを予測検出してもよい。この場合はまさにプレー直前であり、プレーの瞬間だけを観たい観戦者、短時間に多くの選手のプレーを観たい利用観戦者には、特に有用である。
【０１４７】
また、ティーグランドやグリーン、バンカーに選手が入ったことを検出することで、推奨場面の開始を類推するようにすることもできる。その場合には、ティーグランドやグリーン、バンカーの周囲にセンサ（例えば加速度センサ、光センサ、人感センサ）を多数配置することで、これらティーグランドやグリーン、バンカーへの人の侵入を検知して、推奨場面の開始を推定することができる。
【０１４８】
なお、上述の実施形態では、推奨フラグが「１」「０」の２値としたが、多値とすることもできる。例えば「３」「２」「１」「０」と４値とし、「３：推奨度大」「２：推奨度中」「１：推奨度小」「０：推奨しない」というように、数値の大きさで推奨度を表してもよい。上述したような、観たい選手や撮影位置に対する優先順位付けを、この推奨フラグの設定で行うこともできる。この場合、観たい優先順位の高い選手や撮影位置に対して、推奨度を大きくする、すなわち推奨フラグを大きな数値にする。また、優先順位の同じ選手、同じ撮影位置であっても、プレー開始までの予測時間の長短によって推奨度（推奨フラグの数値）を変えることもできる。この場合、例えば、プレー直前の推奨度が最も大きく、プレー開始までの予測時間が長いほど推奨度が小さくなるようにする。
【０１４９】
具体的には、所定のホールのグリーン上での選手のパッティングを観たい場合、「選手がパッティンググリーン上に登場したこと」、「キャディーが担いでいたゴルフバックを選手の傍で置いたこと」、「キャディーが選手にパターを渡したこと」、「選手がパターを握って、ゴルフボールに対峙してアドレスしたこと」という順に推奨度が大きくなる、すなわち推奨フラグを大きな数値にする。例えば、推奨フラグを５値として、「選手がパッティンググリーン上に登場したこと」を推奨フラグ「１」、「キャディーが担いでいたゴルフバックを選手の傍で置いたこと」を推奨フラグ「２」、「キャディーが選手にパターを渡したこと」を推奨フラグ「３」、「選手がパターを握って、ゴルフボールに対峙してアドレスしたこと」を推奨フラグ「４」とすることができる。この場合、推奨フラグ「１」以上はすべて推奨場面の予告通知をしたり、推奨フラグ「３」以上のみを推奨場面の予告通知をしたりする等、推奨フラグの値を選択して使用することができる。利用観戦者は、推奨フラグの値の選択により、プレー開始の前の観視時間の長さを自分の好みに合わせることができる。もちろん、利用観戦者により、これらの優先順位は異なる場合もあるため、推奨度（推奨フラグの数値）を変更できるようにすることが好ましい。
【０１５０】
さらに、会員種別（特別会員、一般会員、非会員など）を設け、種別によって、推奨フラグを２値の場合と２値より大きい多値（例えば３値、４値）とに区分することもできる。例えば、特別会員は推奨フラグを４値、一般会員は３値、非会員は２値というように、区分してもよい。また、推奨フラグは４値とし、特別会員には推奨フラグ「３」「２」「１」という推奨場面の予告通知が全て来るが、一般会員には推奨フラグ「３」「２」の予告通知のみ、非会員には推奨フラグ「３」の予告通知のみが来るという利用方法も可能である。これは、会員種別に限らず、本サービスの利用料金設定をスペシャル料金とノーマル料金など、利用料金種別を設ける場合も同様に、利用料金種別に応じた対応ができる。
【０１５１】
なお、会員種別や利用料金種別を設ける場合は、上述の対応に限らず、種別に応じて、登録できる選手の数や登録できる撮影位置の数を変えることもできる。もちろん、種別に応じて、映像の画質を４Ｋ画像、ハイビジョン画像、標準画像などの区分を設けることもできる。
【０１５２】
また、上述の実施形態では、観たい選手の認識は、選手の顔画像を用いて行ったが、選手の顔画像認識に限られるものではない。
【０１５３】
例えば選手の歩容認識により選手を認識するようにしてもよい。この歩容認識に関しては、例えば「Panasonic Technical Journal Vol.54 Jan.2009」に詳しい説明があるが、選手の歩き方の違いによる認識であるので、顔の見えない遠くからでも認識が可能であり、広いゴルフ場などにおける選手の認識には有効な認識方法である。
【０１５４】
歩容認識を用いる場合は、選手認識部２０５は、歩容認識機能を有し、選手顔画像記憶部２１３の代わりに選手歩容情報記憶部（図示せず）を用いる。選手歩容情報記憶部には、予め、当該ゴルフ競技に参加している選手の歩幅、手足の振り、姿勢、歩行周期などを特徴量とした歩容情報と、その選手に付与された選手ＩＤとが対応付けられて登録され、記憶されている。この場合に、選手歩容情報記憶部には、当該ゴルフ競技に参加している全ての選手の歩容情報と、その選手ＩＤとを登録しておいてもよいし、全ての選手の中から選択した複数の選手の歩容情報と、その選手ＩＤとを登録しておいてもよい。
【０１５５】
選手認識部２０５は、受信映像バッファメモリ２０３に一時記憶された映像ストリームの映像情報について、選手歩容情報記憶部に記憶されている選手の歩容情報を用いて、歩容認識を行い、当該映像ストリーム中に登場する選手を認識し、その認識結果として選手ＩＤを選手歩容情報記憶部から得ることができる。
【０１５６】
また、ゴルフ競技の選手の場合、選手のアドレスの仕方、フォーム、スタンス、グリーン上でのラインを読む姿勢などを認識することで、選手を認識するようにしてもよい。他のスポーツ競技においても、同様に選手の姿勢や動きの特徴から選手の認識をするようにしてもよい。
【０１５７】
また、選手の帽子、服装、身長や体型などを用いて選手を認識する方法も、選手の顔が見えない遠くからでも認識することが可能となる。
【０１５８】
また、ゴルフ競技の場合には、選手にはキャディーが付いて一緒に行動するが、キャディーは、選手の名前のプリントされたゼッケンを着けていたりする。そこで、キャディーが着けているゼッケンの選手の名前を文字認識することで、選手を認識するようにすることもできる。また、キャディーに選手毎に異なるＩＤを発信する発信機を付けてもらい、その発信機からの発信信号を受信してＩＤを判別することで選手を認識するようにすることもできる。
【０１５９】
上記の選手を認識する技術は、単独で用いることもできるし、顔画像認識など他の認識技術と組み合わせて用いることができるのは勿論である。
【０１６０】
また、カメラ１０の撮影者が、目視により選手を同定し、その同定に基づいて、選手ＩＤを入力することで、当該入力された選手ＩＤが映像ストリームについての付加情報として、カメラ１０から送出されるように構成してもよい。その場合には、カメラ１０には、撮影者が選手ＩＤを入力するための操作部を設ける。そして、撮影者は、例えば選手名と選手ＩＤとの対応を記述したメモ等を所持するようにして、そのメモを見ながら、操作部を通じて選手ＩＤを入力するようにすればよい。
【０１６１】
また、上述の実施形態では、カメラ１０は、ホール毎に固定的に配置したが、出場選手のそれぞれ毎にカメラ１０を配置し、選手の移動に応じて、撮影者がカメラ１０を持って、当該選手を追跡するように移動してもよい。この場合に、撮影対象となる選手は、当該ゴルフ競技に参加する全ての選手ではなく、特定の選手のみとしてもよい。
【０１６２】
そして、この場合には、映像ストリームは、上述の実施形態のような各ホールの各撮影位置のそれぞれの映像ストリームではなく、選手毎の映像ストリームとなるので、カメラ識別情報から選手を特定することができる。ただし、その場合に、カメラの現在位置情報から、カメラの撮影位置がどのホールのどの位置であるかのプレー位置情報を生成し、選手毎の映像ストリームに付加することで、撮影位置が何処であるかを認定できるようにする。
【０１６３】
また、上述の実施形態では、観戦者端末はタブレット型端末で説明したが、それに限定されるものではない。例えば、折り畳めるタイプの端末を用い、二画面ディスプレイとし、一方を映像ストリームを表示するためのメイン画像、他方を推奨場面の予告通知の電子メールのメッセージ等を表示するためのサブ画面としてもよい。
【０１６４】
なお、観戦者端末における推奨場面の予告通知の報知は、上述の実施形態では、バイブレータによる振動による報知としたが、これに代えて、あるいはこれに加えて、ランプやＬＥＤの点滅による報知、などを行ってもよい。
【０１６５】
また、各ホールのレイアウト図を表示画面に表示し、推奨場面がどの位置なのか、その位置でのランプやＬＥＤの点滅で報知してもよい。
【０１６６】
なお、上述したような優先順位の違いや推奨度の違いがある場合は、報知の仕方を変えてもよい。優先順位が高い場合や推奨度が大きい場合は、バイブレータによる振動を強くしたり、ランプを明るい色にしたり、ＬＥＤの点滅を激しくしたりするようにしてもよい。また、優先順位や推奨度の違いによって、推奨場面の予告通知の電子メールのメッセージや、推奨場面を含む映像ストリームを提供するＷｅｂページのＵＲＬの文字の大きさや太さ、あるいは文字の色を変えてもよい。
【０１６７】
なお、ゴルフトーナメントの場合、２名乃至複数名でプレーオフが行われることがある。この場合、プレーオフを検出した時点で、従前の登録内容を抹消し、プレーオフに参加する選手をカメラが追従し、推奨場面として予告通知するようにする。
【０１６８】
さらに、優勝決定の瞬間は、非常に重要であるので、その映像ストリームは利用者に推奨場面として予告通知するようにする。また、優勝決定後は、優勝者や上位入賞者をカメラが追従し、その表情、インタビューや表彰式の模様の映像ストリームが推奨場面として予告通知されることが望ましい。
【０１６９】
［他の実施形態］
上述の実施形態は、スポーツ競技がゴルフ競技の場合であったが、この発明が適用できるスポーツ競技は、ゴルフ競技に限られるものではないことは言うまでもない。例えば図１５は、体育館などの競技施設内の同一空間において行われる体操競技の場合（図１５は男子の場合）を示すものである。図１５に示すように、男子体操競技は、体育館などの競技施設内の同一空間において行われるものの、「ゆか」、「鉄棒」、「平行棒」、「跳馬」、「吊り輪」、「あん馬」の６種目のパフォーマンス（体操競技の場合には演技。以下、演技という）が同時並行的に行われる。そして、観戦者は、体育館などの競技施設内の観覧席から選手の演技を観戦する。
【０１７０】
したがって、観戦者は全体を見渡して、自分が好きな選手や種目の演技の開始を観視しながら観戦するが、ややもすると、観たい選手の演技の始まりがわからず、見落としてしまうことが生じてしまう。また、観覧席の位置によっては、観たい種目の演技の位置が遠くて見づらかったり、角度的に、あるいは障害物で、特定の種目の演技が見えなかったりする。例えば、図１５の例の場合、「平行棒」が見やすい席は「あん馬」が見づらく、「吊り輪」と「あん馬」が見やすい席は「平行棒」や「鉄棒」が見づらい傾向になる。
【０１７１】
そこで、図１５の例に示すように、各種目ごとにカメラ１０を配置すると共に、映像収集提供装置を設け、さらに、観戦者に観戦者端末を所持させるようにして、上述の実施形態と同様の構成のスポーツ競技ライブ観戦システムを構築することで、観たい選手の演技や、観たい種目の演技を、確実に観視することができるようになる。
【０１７２】
この場合には、撮影位置ＩＤは、種目ＩＤに対応するものとすることができる。そして、観戦者端末においては、上述の実施形態と同様に、特に観たい選手や種目の登録ができ、その登録した選手や種目についての推奨場面の予告通知がされるものである。
【０１７３】
上記は男子体操競技の場合であるが、この発明は、女子体操競技においても、同様に適用できる。ただし、女子体操競技の場合は、「ゆか」、「跳馬」、「段違い平行棒」、「平均台」の４種目である。
【０１７４】
体操競技の場合、団体総合、個人総合、種目別と演技が行われる。団体総合の場合は、国別や大学別などで争われるため、配信される各カメラ１０の映像ストリームには、選手ＩＤの他に、選手の属する国や大学などのＩＤを付加してもよい。すなわち、観たい国や大学、応援したい国や大学などを識別するための国ＩＤや大学ＩＤなどを付加してもよい。また、種目別の場合は、一つの種目で選手が争うので、種目ＩＤとしての撮影位置ＩＤは不要である。ただし、その種目の演技を複数の位置から撮影し、その位置を種目の代わりに撮影位置ＩＤにすることができる。
【０１７５】
また、体操競技の場合も、ゴルフ競技の場合と同様、順位ＩＤや組ＩＤを適用できるのは勿論である。体操競技における団体総合と個人総合の場合、４〜６人程度の選手を組にして、同一種目をローテーションさせながら演技させるので、その組に対して組ＩＤを適用する。
【０１７６】
また、オリンピック競技の陸上競技においても、競技場のトラックやフィールド内で、多種目が同時並行的に競技や演技がなされるので、この場合にも同様にして、この発明が適用できる。
【０１７７】
さらに、この発明のスポーツ競技ライブ観戦システムを、マラソン競技に適用した場合においても、１０ｋｍ通過地点、２０ｋｍ通過地点・・・ゴール地点などの主要な位置にカメラを設置し、観戦者端末に主要な選手を登録しておくことで、登録した選手の１０ｋｍ通過地点、２０ｋｍ通過地点、ゴール地点などを推奨場面のパフォーマンスを確実に観視することができるようになる。駅伝競技などにおいても、同様に、この発明のスポーツ競技ライブ観戦システムを、適用することができる。
【０１７８】
また、広い会場で、同時に複数コートで試合が行われる場合のテニス、バドミントン、バレーボール、複数レーンで行われるボーリング、カーリング、複数台で行われる卓球などの競技にも適用可能である。
【符号の説明】
【０１７９】
１０…カメラ、２０…映像収集提供装置、３０…観戦者端末、２０４…撮影位置判別部、２０５…選手認識部、２０６…推奨場面判定部、２０７…推奨場面予告通知部
【図１】
2019195227.tif 000003
【図２】
2019195227.tif 000004
【図３】
2019195227.tif 000005
【図４】
2019195227.tif 000006
【図５】
2019195227.tif 000007
【図６】
2019195227.tif 000008
【図７】
2019195227.tif 000009
【図８】
2019195227.tif 000010
【図９】
2019195227.tif 000011
【図１０】
2019195227.tif 000012
【図１１】
2019195227.tif 000013
【図１２】
2019195227.tif 000014
【図１３】
2019195227.tif 000015
【図１４】
2019195227.tif 000016
【図１５】
2019195227.tif 000017